(57)【要約】  接続提供エンティティとターゲット・エンティティとの間で接続を確立する方法において、接続提供エンティティによって接続パラメータの定義をするステップと、接続パラメータの、接続提供手段への実装を行うステップと、接続提供手段を、ターゲット・エンティティに割り当てるステップと、少なくとも接続提供手段の一部分をターゲット・エンティティへ提供するステップと、接続提供エンティティによってターゲット・エンティティに提供された接続提供手段の、少なくとも一部を制御する可能性を保持するステップとを備える。【選択図】図１
2007527662.tif 000002
【特許請求の範囲】
【請求項１】
送信者（ＣＯＥ）と受信者（ＴＥ）との間で接続を確立する方法において、
前記送信者（ＣＯＥ）によって接続パラメータ（ＣＰ）の定義をするステップと、
前記接続パラメータ（ＣＰ）の、通信ロボット（ＣＯＭ）への実装を行うステップと、
前記通信ロボット（ＣＯＭ）を、前記送信者（ＴＥ）に割り当てるステップと、
少なくともいくつかの前記通信ロボット（ＣＯＭ）を前記受信者（ＴＥ）へ提供するステップと、
前記送信者（ＣＯＥ）によって前記受信者（ＴＥ）に提供された前記通信ロボット（ＣＯＭ）の、少なくとも一部を制御する可能性を保持するステップとを備える。
【請求項２】
前記通信パラメータ（ＣＰ）に従って、前記通信ロボット（ＣＯＭ）によって前記受信者（ＴＥ）との接続を確立するための誘導（ＣＯ）を提供するステップをさらに備える、請求項１に記載の方法。
【請求項３】
前記送信者（ＣＯＥ）による、前記通信ロボット（ＣＯＭ）の少なくとも一部の制御は、前記通信パラメータ（ＣＰ）を修正することによって行われる、
請求項１又は２に記載の方法。
【請求項４】
前記通信ロボット（ＣＯＭ）は、ソフトウェア・アプリケーションである、
請求項１乃至３のいずれか一項に記載の方法。
【請求項５】
前記通信ロボット（ＣＯＭ）は、前記受信者（ＴＥ）に提供された後、準備完了状況になる、
請求項１乃至４のいずれか一項に記載の方法。
【請求項６】
前記受信者（ＴＥ）の前記通信ロボット（ＣＯＭ）は、前記受信者（ＴＥ）によって制御されない方法で利用可能とされる、
請求項１乃至５のいずれか一項に記載の方法。
【請求項７】
前記通信パラメータは、変更された接続パラメータを前記通信ロボット（ＣＯＭ）に実装することによって変更される、
請求項１乃至６のいずれか一項に記載の方法。
【請求項８】
前記接続パラメータは、前記送信者（ＣＯＥ）によって変更される、
請求項７に記載の方法。
【請求項９】
前記通信ロボット（ＣＯＭ）は、前記送信者（ＣＯＥ）に割り当てられた制御手段によって制御される、
請求項１乃至８のいずれか一項に記載の方法。
【請求項１０】
前記通信ロボット（ＣＯＭ）は、更なる送信者（ＣＯＥ’）によって前記受信者に提供された、更なる通信ロボット（ＣＯＭ’）との接続を確立する、
請求項１乃至９のいずれか一項に記載の方法。
【請求項１１】
前記通信ロボット（ＣＯＭ、ＣＯＭ’）は、両方が、前記受信者（ＴＥ）の専用ディレクトリに保存されているか、又は、前記受信者によって通信ロボットのグループに結び付けられていたら、お互いに接続を確立する、
請求項１０に記載の方法。
【請求項１２】
前記通信ロボット（ＣＯＭ、ＣＯＭ’）はお互いに接続し、
前記第一の通信ロボット（ＣＯＭ）は、前記更なる通信ロボット（ＣＯＭ’）に、少なくとも一つの接続パラメータ、及び／又は前記第一の送信者についての情報を提供し、及び／又は
前記更なる通信ロボット（ＣＯＭ’）は、前記第一の通信ロボット（ＣＯＭ）に、少なくとも一つの接続パラメータ、及び／又は前記更なる通信ロボットについての情報を提供する、
請求項１０又は請求項１１のいずれか一項に記載の方法。
【請求項１３】
前記通信ロボット（ＣＯＭ、ＣＯＭ’）は、前記該当の接続確立、及び／又は、この接続確立の内容をそれらの対応する送信者（ＣＯＥ、ＣＯＥ’）に送信及び／又は表示する、
請求項１０乃至１２のいずれか一項に記載の方法。
【請求項１４】
接続システムにおいて、
接続パラメータの定義を制御するために形成された送信者（ＣＯＥ）、
ネットワークで通信するために形成された受信者（ＴＥ）、
前記受信者に割り当てられ、少なくとも一部が前記受信者に提供される通信ロボット（ＣＯＭ）、及び
前記送信者に割り当てられ、前記受信者（ＴＥ）に割り当てられた前記通信ロボット（ＣＯＭ）が、そこで前記送信者（ＣＯＭ）によって制御可能に形成された制御手段（ＣＭ）を備える。
【請求項１５】
前記通信ロボット（ＣＯＭ）の前記接続パラメータは、前記制御手段を通じて変更可能である、
請求項１４に記載の制御システム。
【発明の詳細な説明】
【技術分野】
【０００１】
本発明は、通信又は接続の方法及びシステムに関するものであり、特に、所定の通信パラメータに応じた通信の提案又は提供を行う方法及びシステムと通信装置に関するものである。
【背景技術】
【０００２】
通信分野は、急激な変化を遂げ、特に、更なる先端技術に関しては、通信度の増加のみならず、様々な種類の通信や内容の増加がある。しかしながら、一方の、ユーザの期待（例えば、利便性や、通信の関係者や相手に合わせたもの）と、もう一方の、既存の通信環境の性質との間では、しばしば不一致が見られる。特に、インターネットに基づく、又は、インターネットに関する通信の分野では、ユーザ（発呼者又は被呼者）は、技術的な視点での発達段階とは異なり、かなり利便性の低い方法で操作しなければならないような、複雑なシステムの操作をいつも求められる。例えば、インターネットで通信するために実行すべき個別ステップの数と複雑性は、従来の電話を使っての通信よりも、一般的により複雑である。
【０００３】
そのため、通信環境の可能性は、大いに有効活用されていない。これは、更なる高度通信の必要性の絶え間ない増加に相反するものである。
【０００４】
米国特許出願公開第２００３／００５１００３号明細書（ＵＳ  ２００３／００５１００３  Ａ１）に、画像をアドレス記録につなげることができる携帯電話についての記載がある。これらの画像は、送信することもでき、送信者又は携帯電話のＩＰアドレスを含むことができる。この方法では、アドレス・データベースの接続の画像説明が可能である。
【０００５】
欧州特許出願公開第０８５８２０２号明細書（ＥＰ  ０８５８２０２  Ａ２）に、電話帳で使うグラフィカル・ユーザ・インターフェースについての記載がある。ここでは、広告業界の人々が、特定の目標地域の人々と詳細な情報を交換可能であることについて開示されている。例えば、新しい地理的地域に到着し、電話でその存在を知らせた旅行者に、例えばレンタカーのアイコンやホテルのアイコンといった様々な画像を送ることができるものである。これらの画像は、受信者によってカテゴリーごとに保存することができる。ビジネスマンが、これらの電話を介して電子名刺を交換し、それによって、手動で連絡データの記録をしないで済むことについても開示されている。
【０００６】
インターネットに基づく、又は、インターネットに関する通信でユーザをサポートするものとして、ウェブページや電子メールにいわゆる“ｃａｌｌ  ｍｅ”ボタンや“ｃｏｎｔａｃｔ”ボタンを組み入れたものについても知られている。ユーザは、例えばそのボタンをクリックすることによってそれを起動させ、ウェブページのオーナーや電子メールの送信者に通信接続を行うことができる。そのようなボタンを起動させる時、ユーザは、実際に通信接続を行うために、例えば電話番号、電話を受ける関係者の電話番号、個人情報等といった、いくつかの情報の入力を要求されることになる。
【０００７】
さらに、例えば電子メールへの添付として、コンピュータシステムが受信すると、そのコンピュータシステムにインストールされるソフトウェア・アプレットを送信することについて知られている。ソフトウェア・アプレットは、ユーザの電話と、所定の電話又はユーザに選択された電話との電話通信接続を行うために、ユーザによって起動される。いずれの場合においても、ユーザは、ソフトウェア・アプレットの通信候補を使うために、いくつかの情報の入力をしなければならない。
【０００８】
一般的に、既知のいずれの方法であっても、通信を初期化するためには、ユーザが動作しなければならないという問題が起こる。しかしながら、ユーザは、例えば誕生日や合意した仕事上の電話を忘れる等、ある事情で友人に電話するのを忘れてしまったというように、しばしばそれを忘れてしまう。また、ユーザは、関連コスト又は通信を希望された関係者についての情報不足を懸念して、しばしば通信候補を使うことに抵抗を感じる。
【０００９】
ユーザ側の失敗を避けるため、例えば書簡、電子メール、又は電話のようなあらゆる手段を用いて、ユーザに喚起させることが可能である。それでもなお、ユーザは、通信のことを喚起させられたり、適切な通信接続を行うように準備するための情報を持つ必要があり、通信にかかる費用の支払いもしなければならない。既知の方法の更なる不利点としては、通信を始める人は、電話を受ける関係者のことを知り、又、少なくとも、例えば電話番号のような、この関係者に関する情報を持たなければならない。さらに、関係者が、例えば電話番号のような詳細な情報の提供を別の関係者が必要とすることなく、別の関係者からの連絡を希望する場合もある。
【００１０】
さらに大部分の方法に悪影響を与える問題は、通信装置（例えばユーザのハードウェア、ユーザのソフトウェア、ユーザ・インターフェース）が、多数の異なるユーザに対し、同様に設計されていることにある。その結果、ユーザ個人の個性のみならず、ユーザの個々の要望や基準も考慮されない。
【発明の開示】
【発明が解決しようとする課題】
【００１１】
ゆえに、本発明の目的は既知の通信の不利点を回避することにある。特に、本発明の目的は、ユーザが通信する際に、利便性があり、より使いやすく、簡易な方法でサポートを受け、発呼者側及び被呼者側の両方においてユーザの個人的及び個々の状況が考慮されるよう、通信技術の可能性を改善する解決法を提供することにある。
【課題を解決するための手段】
【００１２】
この目的は、独立請求項に記載の装置及び方法により実現される。その有利な展開（発展形）については、従属請求項の中で定義される。
【００１３】
接続又は通信提供ユニット又はエンティティ（ＣＯＥ）とターゲット・エンティティ（ＴＥ）との接続を確立するための本発明による方法は、接続又は通信提供エンティティの制御、又は接続又は通信提供エンティティによる制御の下に、接続又は通信のパラメータを定義することと、通信又は接続提供手段において接続又は通信のパラメータを実装することと、ターゲット・エンティティ又はターゲット・ユニットに接続提供手段を指定又は割り当てることと、少なくとも接続又は通信提供手段の一部をターゲット・エンティティに提供することと、接続提供エンティティによって接続提供手段の少なくともターゲット・エンティティに提供された一部を制御する可能性を保持することとを含む。このように、送信者又は接続又は通信提供エンティティが、ターゲット・エンティティに割り当てられた手段（通信又は接続提供手段）を用いて受信者又はターゲット・エンティティによって利用可能にされる通信の程度を決定することができる、接続又は通信の確立方法が提供される。ここで決定されたフレームワークの状態又は定義された通信パラメータも、受信者がそれを受信した後に送信者によって修正されたり、又は制御されたりすることができる。このように、送信者は、後で受信者の通信パラメータを調整、更新、又は変更することができる。そのため、例えば送信者が、例えば小規模なソフトウェア・アプリケーションのような接続提供手段を受信者に提供することができる。上記の小規模なソフトウェア・アプリケーションは、そのお蔭で、受信者が、例えばＩＰアドレスや電話番号のような添付のパラメータに従って、送信者との接続を（例えばダブル・クリックによって）生成することができるプログラム・コードを備える。その後、送信者の接続データが変更された時は、送信者は、受信者がすでに持っているソフトウェア・アプリケーションの通信パラメータを更新することにより、新しい接続データを受信者に提供することができるため、受信者が、次回送信者との接続を確立する際に、接続又は通信を新しいパラメータに従って確立することができる−これは、望ましくは、通信提供手段の受信者が気づく必要なく行われる。また、送信者は、受信者から送信者へ、対応する接続の確立があった時に、これに伴う費用を一時間まで送信者により負担するように、通信パラメータを調整することができる。そして後に、この時間が使い切られた時には、受信者は、接続パラメータを変更することによって、リセットしたり、接続又は割当時間を延長することが可能である。また他方では、後で上記の時間を一時間から四十分に制限することもできる−これは、望ましくは、受信者が気づく必要なく行われる。
【００１４】
少なくとも部分的に提供された通信提供手段は、望ましくは、提供エンティティ又は人物と、又は別のエンティティ、又はターゲット・エンティティからの接続を希望する提供エンティティと通信するよう、ターゲット・エンティティの活動、刺激、及び／又は活性化のために提供されたものである。そのため、ターゲット・エンティティへ提供される提供手段、又は少なくともその部分的なものは、通信ロボット、又は省略して“コムボット”とも呼ばれる。
【００１５】
この文脈において、エンティティは、通信又は接続システム（例えば、コンピュータ・システム、インターネット・サーバー、サービス・プロバイダ、電子メール・サーバー、電話システム、ＳＭＳシステム）のユーザ又はオーナー（例えば個人や会社）、アドレス（例えば、ＩＰアドレス、電話番号、電子メール・アドレス、ウェブサイト、インターネット・リンク、ＳＭＳアドレス、郵便の宛先）、設備（例えば会社の建物）、エンド・ユーザ・ユニット（例えば、ＰＣ、電話、ＳＭＳ装置）等を指す。エンティティは、望ましくは、個人、個人グループ、又は会社で、少なくとも一つのエンド・ユーザ・ユニットが配されるものとする。
【００１６】
通信又は接続提供エンティティ又は送信者は、例えば、企業、会社、又は個人で、例えば個人のような別のエンティティへの通信を希望したり、又、別のエンティティが通信できるようにしたり、及び／又は別のエンティティに通信を喚起することを希望するものである。ターゲット・エンティティ又は受信者は、例えば、企業、会社、個人、個人グループ、又は企業グループで、通信提供エンティティの視点から見ると、例えば通信パラメータで定義される通信提供エンティティによって決定されるフレームワークの状態で通信可能とされる“ターゲット”又は望ましい通信相手である。
【００１７】
エンド・ユーザ・ユニットの例には、通信のために利用可能であるどんな装置、ユニット、又は手段も含まれる。好ましいエンド・ユーザ・ユニットには、固定携帯電話（例えば、ＰＳＴＮ電話、２Ｇ及び３Ｇ装置、ＧＳＭ及びＵＭＴＳ電話）、固定及び携帯のコンピュータ・システム等の、データ又は情報を送信したり、及び／又は通信目的で受信したりすることができるようにする装置及びユニット等が含まれる。
【００１８】
さらに望ましくは、ターゲット・エンティティに提供される通信は、例えば、通常の電話ネットワーク、携帯通信ネットワーク、コンピュータ・ネットワーク、無線ネットワーク、インターネット等のような、どんな通信ネットワーク上にも確立することができるものである。
【００１９】
通信又は接続パラメータには、通信を行うために利用可能な、どんなタイプのパラメータも含まれる。通信パラメータには、望ましくは下記の内の少なくとも一つが含まれる：
−通信提供エンティティの識別（例えば、氏名、郵便の宛先、電子メール・アドレス、ＩＰアドレス等）、
−ターゲット・エンティティの識別（例えば、氏名、郵便の宛先、電子メール・アドレス、ＩＰアドレス等）、
−通信のための通信提供に対応する、ターゲット・エンティティの承認、
−通信提供に応じて通信に利用可能な、少なくとも一つの通信リンクの定義（例えば、インターネット通信接続又はリンク、電話接続等）、
−通信提供に対して利用可能な、少なくとも一つの通信ネットワーク（例えば、インターネット、電話ネットワーク等）
−通信提供がもたらされる、少なくとも一つの時点（例えば、月曜日の朝１１：００、ターゲット・エンティティのユーザの誕生日等）、
−ターゲット・エンティティにもたらされる通信提供の、少なくとも最小数及び最大数（例えば、最小で四回の通話及び／又はＳＭＳメッセージ、最大で十八回の通話及び／又はＳＭＳメッセージ）、
−通信提供に対して可能な通信の、少なくとも最小継続時間又は最大継続時間（例えば、最短で二分の通話及び／又はインターネット・リンク、最長で二分の通話及び／又はインターネット・リンク等）、
−セキュリティー要求の定義（例えば、通信提供に対する通信にはパスワードが必要である；通信提供に対する通信は、特別なエンド・ユーザ装置を利用してのみ可能である等）、
−通信提供手段が作動可能な、少なくとも一つの時点の定義（例えば、ターゲット・エンティティのユーザの誕生日等）、
−通信提供手段が作動する、少なくとも最小数又は最大数の定義、
−少なくとも、通信提供手段の起動又は通信提供をもたらすためのターゲット・エンティティの運用条件の定義（例えば、ターゲット・エンティティが現在作動中である、ある時間作動する又は動作する、即座に通信する等）、
−通信提供手段の作動、又は、通信提供又は通信機能をもたらすための、通信提供エンティティの運用条件の定義。
【００２０】
本発明の好ましい実施形態において、方法には、接続提供手段による、ターゲット・エンティティへの接続パラメータに従った、通信のための接続又は通信の提供のステップも含まれる。この通信提供を通じ、受信者又はターゲット・エンティティは、送信者によって設定された通信パラメータに従い、（送信者又は第三者と）通信又は接続するための誘導を送信者から受信する。この提供は、受信者が通信又は接続提供手段の提供を受けた時に、最初に受信者に送信されることが望ましい。そうすれば、受信者は、送信者がどんな接続候補又は通信提供を受けたのか知ることになる。そのような通信提供は、望ましくはその後、送信者が通信パラメータを変更又は更新した時にいつでも受信者に提供されるものである−そうすれば、受信者はコムボットの接続候補について、最新の情報に追いついていく。
【００２１】
特に、望ましくは、接続又は通信の提供は、例えば接続提供手段のように、コムボットによって実行されるものであり、コムボットは視覚的又は音声で活動し、例えば揺れることにより受信者に、例えばコムボットの送信者との通信が要求されている、又は通信が可能である旨を教えるものである。この通信提供は、イベントに基づいてコムボットにより制御するか、送信者自身により“リモート・コントロール”で、手動で始動させられるか、決定された規定に従って外部環境を通じて行われること等が可能である。これにより、送信者は、自分のコムボットをリモート・コントロールすることにより、接続が期待されていることを受信者に通知することができる。ゆえに、コムボットをリモート・コントロール、又は、考え方又は更なる情報を転送することにより、送信者は、非言語的に受信者と通信することもできる。それにより、送信者は、例えば受信者の誕生日に、コムボットに誕生日ケーキをプレゼントさせ、誕生日の歌を演奏するように設定することができ、この目的のために従来の電話や電子メール通信接続を直接行う必要がない。コムボットはこの方法で遠隔操作され、受信者は通信に関して、送信者の希望や意図を絶えず受信する機会を得る。受信者は、この方法で時々送信者に接続し、繰り返し送信者への接続を更新することになる。よって、本発明は、受信者と送信者との活発な接続を確実にするものである。
【００２２】
本発明の別の好ましい実施例において、接続提供エンティティによる接続提供手段のうち、少なくとも一部分の制御が、通信パラメータの修正を通じて行われる。これにより送信者は、接続又は通信パラメータを制御することにより、コムボットの動作範囲を後から設定したり変更することもできる。ゆえに、以前決定した通信パラメータを変更するだけで、簡素で容易に制御される更新過程が定義される。
【００２３】
接続提供装置は、例えばターゲット・エンティティのように通信提供エンティティが選択したエンティティや、通信パラメータにあった通信を提供し、通信提供エンティティがターゲット・エンティティに通信を希望する方法であるように設計されたソフトウェア・アプリケーションであることが望ましい。しかしながら、通信提供エンティティは、選択されたバージョンが、通信パラメータに従った通信提供をもたらすことができるように選択されている限り、例えば電子メールやインターネット・リンクの形式を取ることが可能である。
【００２４】
通信提供手段は、“統合”手段（例えば、コンピュータ・システムのような、特定の装置において操作され、及び／又はその装置に物理的に存在するユニットに提供され、通信提供エンティティ又はターゲット・エンティティに配され、それを構成し、又は形成する手段）として、又は、“複合”手段（例えば、独立型の部品、ユニット、装置等によって提供され、及び／又は異なった別々のユニットにおいて操作され、及び／又は異なった別々のユニットに物理的に存在し、通信提供手段を共に形成するもの）として設計され得る。第二の場合では、“複合”の通信提供手段のうち少なくとも一つのコンポーネントが、ターゲット・エンティティに提供され、それに対し、“統合”の通信提供手段は、全体としてターゲット・エンティティに提供される。
【００２５】
通信提供手段での通信パラメータの実装は、例えば通信パラメータ又は対応する情報を含んだソフトウェア・アプリケーションを生成することによって達成される。よって、通信提供手段は、通信提供ユニット又はエンティティ（例えば送信者）によって提供される通信の形式についての、少なくとも実質上全ての情報を含むことが望ましい。
【００２６】
受信者の側では、その結果、関連の機能に加えて、接続提供手段を含むネットワーク・ノードが提供される。
【００２７】
通信提供手段の少なくとも一部がターゲット・エンティティに提供される時点から、通信提供手段は、通信又は接続の提供をもたらすことができる。接続提供がターゲット・エンティティにもたらされる方法及び／又は時期は、望ましくは接続パラメータで定義される。これは、望ましくは通信提供がもたらされる経路にも適用される。通信提供手段は、例えば、通信提供を特定の時間（例えば、時間、日）に及び／又は所定のイベント（例えば、誕生日、会合、会議通信）に関して提供することができる。通信提供手段は、通信提供を、ボタン、アイコン又はグラフィック・ユーザ・インターフェースの双方向部分、（複合）映像、動画のアイコン、又は視覚的な喚起を表現したり、又は、通信パラメータに従って通信できることをターゲット・エンティティに示す別の手段を提供するボタンの形式で提供することができる。
【００２８】
ターゲット・エンティティの通信提供手段（コムボット）は、望ましくはグラフィック要素の形式で、パーソナル・コンピュータのデスクトップや画面又は端末の表示上に現れる。通信提供エンティティ又は送信者は、対応のグラフィック要素を自分のデスクトップ又は表示上に含むこともできる。両方の対応要素は、例えば送信者のような、通信提供エンティティがターゲット・エンティティ、特にコムボットの形、寸法、色、及び動画のためのパラメータの考察を制御可能なネットワーク接続を介して、互いに接続される。制御は、時間、継続時間、緊急度、通信のタイプ（電子メール、電話、ファックス、ＳＭＳ、インスタント・メッセージ）等のような、接続及び／又は通信パラメータに応じたシステムによっても自動的に行われる。少なくとも一定期間、即座に表示するため、コムボットはどちらの側でも恒久的に利用可能であり得る。これにより、両方のエンティティ、例えば送信者と受信者の間で接続通信が恒久的に確立される。これは、任意の通信の促進的な先駆けを示すものである。コムボットが、望ましくはターゲット・エンティティのデスクトップに表されるものであるため、ターゲット・エンティティは、コムボットを自分の希望する位置に動かすことができる。そのため、ドラッグ及びドロップ操作を実行すること、例えばドキュメント・ファイル（ワード、パワーポイント、エクセル）や、データファイル（オーディオ、フォト、ビデオ）へのリンクのような要素をピックアップし、コムボットへドラッグしてドロップすることにより、容易に通信を確立することができる。そして、通信は、ドキュメント又はファイルを他方に送信することにより、自動的に開始される。そして、他方において、それ（ドキュメント又はファイル）は、他方の対応するコムボットによって現れる（例えば、表示又はロードされる）。単にコムボットをクリックするだけで、電子メール、インスタント・メッセージ、通話（ＶｏＩＰ及び／又はＰＳＴＮ）等の通信アプリケーションが、即座に開始される。
【００２９】
ターゲット・エンティティにとっては、自分の側に出現するコムボットは、ある意味で、通信提供エンティティとすぐに通信を確立するために自分に提供された、普遍的なインターフェースである。提供する側に現れるコムボットは、ターゲット・エンティティ側のコムボットに対応するものである。そのため、二つのコムボット及びそれらの接続は、二つのエンティティが、互いに一定の接続を保ち、直接通信を行うことができるための、それらをつなぐ管のようなものである。管という表現は、二つのエンティティの間の直接通信しかできないという意味ではない。この経路を使って、二つ以上のエンティティを接続させることも可能である。これらの特徴、及び、本発明を実施する多くの候補の詳細については、後述する。コムボット（通信提供手段）の表現形式についても、非常に様々である。
【００３０】
グラフィック要素及び／又はボタンの形式の通信提供手段の実例には、下記が含まれる：
−ターゲット・エンティティである恋人に、通信提供エンティティである自分の恋人に連絡するよう喚起する意味を持った、鼓動する心臓
−例えば、全て売主の費用負担で、通信提供エンティティである売主への直接接続のために、ターゲット・エンティティである顧客がそれをクリックするように導く、製品の広告映画
−通信提供エンティティであり、例えば自分の費用負担で、ターゲット・エンティティである孫からの連絡を希望する祖母の写真
−例えば通信提供エンティティである会社の費用負担でその時のみ使用可能であり、ターゲット・エンティティである人物に、一定の時刻の会議を思い出させる、会議ボタン
−ターゲット・エンティティであり海外で休暇を過ごす子供が、例えば両親の費用負担で、通信提供エンティティである両親に連絡を取るため、容易に操作できるボタン
【００３１】
通信提供手段がターゲット・エンティティに配されるという事実は、特に、通信提供手段が、公衆に一般的に提供されるものではなく、特定のエンティティ又は人物に提供されることを明らかにするものである。通信提供手段又はコムボットをターゲット・エンティティに配分することは、例えば、ソフトウェア・アプリケーションを（例えば、下記のように電子メール、ウェブページ等に組み込んで）、ターゲット・エンティティ、特にそのエンド・ユーザ・ユニットに提供することによって実行することができる。インターネット・ベースの通信提供手段が望ましいバージョンであるが、任意で自動返信機能を備えたＳＭＳや、ＵＭＴＳベースの手段等の、他の電子的手段も通信提供手段として考慮される。
【００３２】
通信提供と実際の通信との違いを示す。通信提供は、通信可能かつ、通信パラメータに従って通信の候補を示すターゲット・エンティティを示す。例えば、通信提供は、ターゲット・エンティティが通信提供エンティティとの電話等の通信を確立可能であることを示すことができる。通信提供エンティティである会社が、ターゲット・エンティティである顧客に、会社又はその代理人への接続の喚起を希望していると仮定する。通信提供手段は、例えばアイコンやボタンや、グラフィック・ユーザ・インターフェースの動画部分、強調表示部分、又は図形強調部分を表示することにより、顧客に対して、会社又はその代理人との通信を確立するよう勧める。通信提供は、ターゲット・エンティティが通信提供エンティティ以外の、エンティティや関係者と通信可能であることを示すこともできる。例えば、通信提供は、ターゲット・エンティティである個人に対し、他のどんな人物とも通信可能であるが、例えば従来の電話とは異なり、所定の通信パラメータのフレームワークの範囲内で、所定の数の連絡相手と、各連絡時の所定の時間の間、一定の時刻に、通信提供エンティティの費用負担で通信可能であることを通知することができる。ターゲット・エンティティ又はそれに接続されるエンド・ユーザが実行することができる通信が、ターゲット・エンティティに提供されるように、通信提供が選択される（例えば通信パラメータが定義される）ことが望ましい。例えば、ターゲット・エンティティが、電子メール可能エンド・ユーザ・ユニット、電話、ＳＭＳ可能ユニット、ファクシミリ等へのアクセスを行うことができ、及び／又はそれらを備える場合、通信提供は、ターゲット・エンティティが、電子メール、通話、ＳＭＳ、ファクシミリ等を使って通信するという申し出を組み込むことができる。ターゲット・エンティティが、異なったエンド・ユーザ・ユニットを備える場合、通信提供手段は、どのエンド・ユーザ・ユニットに通信提供をもたらすか（例えば、単独操作のユーザ・ユニット、ターゲット・エンティティに希望されるエンド・ユーザ・ユニット等）を確定することができる。従って、通信提供手段によって提供された通信又は接続ルートは、選択することができる。
【００３３】
好ましい実施例において、通信提供を提供するステップは、少なくとも通信提供手段の一部をターゲット・エンティティに送信することから構成される。
【００３４】
これは、ターゲット・エンティティに、例えばソフトウェア・アプリケーション又はアプレットや、インターネット・リンクや、例えば通信提供手段の少なくとも一部分をダウンロードするためのリンクを含んだ、電子メール、ＳＭＳ又はＭＭＳや、例えば通信提供手段の少なくとも一部分を含んだ電子メール又はＳＭＳを送信することによって達成される。
【００３５】
別の好ましい実施例において、通信提供を提供するステップは、ターゲット・エンティティ側の通信提供手段の少なくとも一部分をインストールすることを含む。
【００３６】
この実施例の実例には下記が含まれる：
−ソフトウェアを含む電子メール又はＭＭＳで、通信提供手段の少なくとも一部を構成するもの。
−電子メール又はＭＭＳを開くと、例えばこれに接続されたエンド・ユーザ装置のようなターゲット・エンティティに、ソフトウェアをインストールすることになる。
−ソフトウェアを含む電子メール又はＭＭＳで、通信提供手段の少なくとも一部を構成するもの。ソフトウェア又はソフトウェアを含むデータ・ファイルを開くと、例えばこれに接続されたエンド・ユーザ装置や、ターゲット・エンティティとして選択された人物のコンピュータのようなターゲット・エンティティに、ソフトウェアをインストールすることになる。
−電子メールで、インターネット・リンクを含むもの。リンクを開くと、通信提供手段の少なくとも一部分を形成するソフトウェアをターゲット・エンティティにダウンロードし、ソフトウェアをターゲット・エンティティにインストールすることになる。
−ＳＭＳ又はＭＭＳで、リンクを含むもの。リンクを開くと、通信提供手段の少なくとも一部分を形成するソフトウェアをターゲット・エンティティにダウンロードし、ソフトウェアをターゲット・エンティティにインストールすることになる。
−ソフトウェアで、通信提供手段の少なくとも一部分を形成するものが、自己実行可能なソフトウェア又は自己実行可能／抽出可能なデータ・ファイルの形式で、ターゲット・エンティティに転送される。このソフトウェア又はデータ・ファイルを受信すると、ターゲット・エンティティで、インストールが実行される。
−通信提供エンティティによる、ファイル共有又はアプリケーション共有を使ったターゲット・エンティティへの、通信提供手段の“直接”インストール。
−電子メール、ＳＭＳ、又はＭＭＳで、リンクを含むもの。リンクは、電子メール／ＳＭＳ／ＭＭＳに残り、そこで作動する。
−電子メールで、リンクを含むもの。リンクは、ターゲット・エンティティのユーザによってコピーされ、例えば、ターゲット・エンティティのデスクトップにインストールされる。
−電子メールで、リンクを含むもの。リンクは、電子メールを開いたり、又、ターゲット・エンティティのデスクトップにあるリンクを開くと、それ自体をインストールする。
【００３７】
別の好ましい実施例において、通信提供を提供するステップは、通信提供手段を準備完了（可動）状態に変換することを含む。
【００３８】
この文中で、“準備完了・可動状態”という表現は、通信提供手段が、ターゲット・エンティティの活動に影響を与えず、ターゲット・エンティティのユーザに知られていない、ターゲット・エンティティのバックグラウンド・プロセスとして動作していることを示している。特に、通信提供手段は、通信を提供するために、準備完了・可動状態で動作しない。例えば、通信提供手段を、準備完了であるが待機運転状態に移行させることは、通信提供手段が、“バックグラウンド”で動作中になるように作動するターゲット・エンティティに対して、通信提供の操作を起動することによって実行可能である。
【００３９】
しかしながら、通信提供手段は、準備完了・待機運転状態又は状況で、いくつかの機能の実行が可能である。例えばコムボットは、例えばターゲット・エンティティによって現在実行されている通信動作に関し、ターゲット・エンティティの状態を考慮して、情報を通信提供エンティティに送信することができる。さらに、下記に詳細な説明があるが、準備完了・待機運転状況で、コムボットを、通信提供エンティティによって制御することができる。例えば、コムボットが、ターゲット・エンティティのモニターに表示されたグラフィック・オブジェクトの形式で備えられた場合、通信提供エンティティによる、準備完了・待機運転状態のコムボットの制御の効果としては、コムボットは、その外観を変更（例えばコムボットを、揺れたり、音響で注意を引いたり、寸法を変更したり、又は、ターゲット・エンティティに、コムボットの背後にいるエンティティ又は人物が、通信又は接続を希望していることを通知するように制御することができる）する。
【００４０】
別の好ましい実施例において、通信提供手段の、例えばコムボットの少なくとも一部分は、電子メッセージ、又は、例えばＵＳＢスティックのようなポータブル・データ記憶媒体により提供される。
【００４１】
電子メッセージの例には、電子メール、ＳＭＳ、ＭＭＳ、電子ファクシミリ等が含まれる。ポータブル・データ記憶媒体の例には、チップ、スマートカード、ＣＤ−ＲＯＭ、ＤＶＤ−ＲＯＭ、ディスケット、プリペイド・テレフォン・カード、ＵＳＢスティック等が含まれる。
【００４２】
別の好ましい実施例において、通信提供手段（コムボット）の少なくとも一部分は、ターゲット・エンティティによって制御されない方法で提供される。この好ましい実施例は、次の好ましい実施例の説明を参照すると、理解が容易である。
【００４３】
別の好ましい実施例において、通信パラメータは、望ましくは、コムボットにおいて、異なった通信パラメータを実装することにより変更されるものである。
【００４４】
この実施例により、別のコムボットを使ったり、又、存在するコムボットを取り替えたりせずに、通信パラメータ（例えば、提供された通信形式の所定の境界条件）の修正が可能である。その結果、コムボットはターゲット・エンティティに配されたままの状態で、別の通信又は接続候補、特に修正された通信パラメータに関する通信提供を提案する。
【００４５】
通信パラメータは、望ましくは通信提供エンティティの管理下で変更されるものである。
【００４６】
通信提供エンティティの観点からすると、この実施例は、通信提供に責任を負う通信提供エンティティが、提供された通信の種類の変更、例えば、コムボットが実行可能な機能や操作（例えば、ＳＭＳ通信、別の会社又は別の人物との通信ではなく、通話）の修正又は変更や、提供された通信数（例えば、追加で十回の通話又はＳＭＳ）の、後からの変更又は補完が可能であるため、特に関心のあるものとなる。
【００４７】
通信パラメータは、望ましくは、通信提供エンティティではない別のエンティティによっても変更可能である。例えば、通信パラメータは、（例えば、通信パラメータに示される）提供された通信に利用される通信プロバイダ（例えば、電子メールプロバイダ、電話会社等）によって修正することができる。例えば、そういった追加のエンティティは、例えば新規の、又は、変更された通信料が将来考慮され、当初、特定のネットワークで行われると定義されていた、提供された通信を、別のネットワークで実行するように、通信パラメータを適合させることができる。通常、通信パラメータの修正により、本発明の個人や個別の通信特性は、既知のどの通信形式よりも改善される。
【００４８】
通信パラメータは、通信提供手段、又は少なくともコムボットの一部が、既にターゲット・エンティティに提供された場合、望ましくは変化又は変更される。
【００４９】
この実施例では、コムボットをターゲット・エンティティに、再び配する又は提供する必要なく、通信パラメータの修正を可能にする。例えば、通信パラメータは、コムボットが通信提供をもたらすために使うソース（例えば、データ、ソフトウェア・アプリケーション、ハードウェア・コンポーネント）を変更することにより、変更可能である。もしコムボットがソフトウェア・アプリケーションの形式で提供されるならば、通信パラメータは、コムボットのどんな起動もなく、コムボットがアクセスする、いわゆる“ＩＮＩ”ファイル又はデータを変更することにより、変更可能である。コムボットが、例えばインターネット・リンクとして開発された場合は、通信パラメータは、インターネット・リンクが示すデータとコンテントを修正することによって変更することができる。
【００５０】
少なくともコムボットの一部が既に提供されている場合、通信提供手段、例えばコムボットは、コムボットの現在の状態を制御するように、制御されることが望ましい。
【００５１】
コムボットを制御すると、例えばコムボットの現在の動作モードを表示及び／又は、例えばアイコンを表示及び／又は動かして（揺れる、点滅する、ジャンプする、歌う等させて）注意を引くため、コムボットが、ターゲット・エンティティ及び／又はターゲット・エンティティのユーザに、情報（視覚的及び／又は音声的な）を提供することができる。
【００５２】
別の例では、コムボットの制御又は監視が、通信パラメータによって定義されることのなかった方法で、コムボットに通信提供を行わせることができる。これにより、例えば、通信パラメータが以前に定義されたときには考えられなかった通信提供が、可能になる。すなわち、コムボットが特定の状況又はイベント（例えば、会合を行うための重要通信）に応じてのみ提供される。
【００５３】
こういったコムボットの制御により、本発明による、個人及び個別の通信特性が改善される。
【００５４】
コムボットは、通信提供エンティティに配された制御手段を使うことによって制御することができる。
【００５５】
この方法では、個別の適応は、通信提供に責任を負い、一般的にどの通信提供又は通信が最適であるかを最も知っている、通信相手によって始めることができる。
【００５６】
コムボットの制御は、ターゲット・エンティティに関連する、少なくとも一つのイベントに係らず、又は、通信提供エンティティに関連するイベントに応じて行うことができる。
【００５７】
コムボットの制御は、ターゲット・エンティティの少なくとも一つの条件、又は通信提供エンティティの少なくとも一つの条件に関係なく行うことができる。
【００５８】
これらの実施例は、個人及び個別の通信に関して、更なる方法となるものである。もし、例えばターゲット・エンティティが、通信に適していない状態であれば、通信提供を行うのを避けることができる。通信提供エンティティにも同じことが当てはまる。更なる例としては、コムボットの制御は、通信提供エンティティ又はターゲット・エンティティ、又はその両方の動作モード又は状態に依存する。通信提供エンティティ又はターゲット・エンティティが、既に通信している場合、通信提供は、技術的な問題及び／又は利害問題を招くことになる。そういった状況では、通信提供を延期又は抑制する方が好都合である。しかしながら、ターゲット・エンティティが既に通信している場合には、通信提供が望まれる。例えば、ターゲット・エンティティは、インターネット・リンクを通じて、通信提供エンティティの代理である第二の会社に競合する、第一の会社と通信することができる。通信提供は、ここでは、通信提供エンティティ（例えば第二の会社）との通信をターゲット・エンティティに提供するために、そしておそらくは、二つの会社のうち、どちらを考慮すべきか、というターゲット・エンティティの決定に影響を及ぼすために、提供され得る。通信提供は、もし通信提供エンティティが既に通信しているのであれば望ましい。例えば、通信提供エンティティが、第三者と、ターゲット・エンティティも関心がある、又は、ターゲット・エンティティに影響を及ぼす可能性がある件について、通信することができる。そのため、通信提供は、例えば会議通信の形式で既に通信を継続しているターゲット・エンティティを含めるために提供可能である。
【００５９】
通信提供は、ターゲット・エンティティの少なくとも一つの状態及び通信提供エンティティの一つの状態に関係なく提供されるのも望ましい。
【００６０】
この実施例では、さらに本発明の個人及び個別の特質について改善する。上記のように、通信提供は、通信パラメータ又は外部制御に従って、いつでも行うことができる。従って、上記の実施例に関連して述べられた起こり得る状況と比較し得る状況が、起こり得、通信提供は、通信提供エンティティ及びターゲット・エンティティの状態に対応して、最適化され得る。
【００６１】
通信パラメータにおいて、ターゲット・エンティティが、通信提供エンティティと、少なくとも二週間のうちに一度は通信する、と通信提供エンティティが定義される、と仮定する。そこで、対応する通信提供手段は、ターゲット・エンティティで、通信提供エンティティとターゲット・エンティティが過去二週間のうちに通信を行ったかを確定する（例えば、通信提供エンティティ及び／又はターゲット・エンティティの電話履歴を確認することにより）ものに配される。その期間に通信が行われていなかった場合、コムボットは、ターゲット・エンティティに、通信提供エンティティと通信するよう喚起し、例えば対応する通信提供を行う。コムボットと通信提供エンティティ及び／又はターゲット・エンティティとの同期合わせは、特定時、所定の時間間隔又は継続的に作成される接続によって実現され得る。
【００６２】
別の例としては、通信提供エンティティである人物又は会社が、贈り物として、特定のイベント（例えば誕生日）に、五つの無料ＳＭＳと、友人又は顧客との電話通信を十分間無料で提供することがある。その時、この特定のイベントに応じ、五つの無料ＳＭＳと十分間の無料通話の通信提供がターゲット・エンティティに提供されるよう、コムボットの提供が行われる。
【００６３】
更なる好ましい実施例では、コムボットは、ターゲット・エンティティの少なくとも一つの状態及び／又は通信提供エンティティの少なくとも一つの状態に同期化される。同期化は、コムボットと通信提供エンティティ及び／又はターゲット・エンティティとの相互依存を得るために実行される。例えばコムボット又は少なくともその一部が、ターゲット・エンティティに配されるようにするために、コムボットがターゲット・エンティティに提供されたとすると、同期化の効果は、通信提供エンティティがターゲット・エンティティでのコムボットの操作に関して（応じて）、最新についていくこと、及びその逆が可能であることである。従って、少なくともコムボットの一部が通信提供エンティティに位置する場合にも、同じことが当てはまる。
【００６４】
同期化には、望ましくは、データの交換、特にターゲット・エンティティに関する通信提供エンティティへの情報（の送信）が含まれる。そういった同期化は、コムボットと通信提供エンティティ、又はコムボットと、情報が保存されているデータベースとの間でデータを交換することによって直接実行される。そういったデータベースの情報更新は、望ましくは、例えば更新情報を示した対応ウィンドウを表示することにより、表示され通信提供エンティティに報告される。通信提供エンティティは、望ましくは、この更新データ情報をデータベースに保持するのか、又は無視するのか、に関して決定するように誘導又は要求される。そのため、通信提供エンティティは、望ましくはそういった更新データを受け入れるオプションを備える。
【００６５】
コムボットは、望ましくはターゲット・エンティティの状態についての情報を、通信提供エンティティに提供し、及び／又は、通信提供エンティティの状態についての情報を、ターゲット・エンティティに提供する。
【００６６】
ターゲット・エンティティ及び／又は通信提供エンティティに関する情報は、コムボットが、少なくとも部分的にターゲット・エンティティに提供されていれば、いつでも提供可能である。
【００６７】
一方で、この実施例により、通信提供エンティティが、ターゲット・エンティティを“個人的な”通信関係者であると、より明確に理解することが可能になり、よって、例えば、通信パラメータの（再）定義や、コムボットの制御、同期化等によって、ターゲット・エンティティに関し、個人及び個別の方法で調整を行う。さらに、実施例により、通信提供エンティティが、普段利用できない、又は経時変化するターゲット・エンティティの特質及び／又は現在の状況を考慮に入れることが可能になる。
【００６８】
ターゲット・エンティティに関する情報の例には以下が含まれる：
−通信提供を最適化するための、ターゲット・エンティティ、又はそれに接続されるエンド・ユーザ・ユニットの技術的な詳細、
−ターゲット・エンティティの動作状況又はモード（例えば、動作中でない時に対する動作中、ソフトウェア・アプリケーションの実行、通信アクティブ等）、及び
−ターゲット・エンティティの履歴（ターゲット・エンティティの履歴に、いつ、どのように、誰とターゲット・エンティティが通信したかについて含む、又は示すことができる）、
−ターゲット・エンティティの存在（例えば、キーボード入力、データの認識、マウスカーソルの位置が時間の経過と共に変化する等、といったような動作状況の情報に示される）。
【００６９】
ターゲット・エンティティの動作状況、モード、又は履歴に基づき、通信提供エンティティは、個々に通信パラメータ及び／又はコムボット、及び通信提供についても適応させる。
【００７０】
他方で、この実施例により、ターゲット・エンティティが、通信提供エンティティを“個人的な”通信関係者であると見なすことが可能になる。例えば、ターゲット・エンティティ又はそのユーザが、例えば通信提供を一日のうち特定の時間、又は特定の週のみ等、及び／又は通信提供エンティティの特別な動作モード又は状況、及び／又は特定のイベント／状況を考慮して受け入れることにより、反応を通信提供に適応させることができる。さらに、ターゲット・エンティティが、普段利用できない、又は経時変化する通信提供エンティティの特質及び／又は現在の状況を考慮に入れることが可能になる。
【００７１】
通信提供エンティティに関する情報には、例えば以下が含まれる：
−通信提供に対応するレスポンスを最適化するための、通信提供エンティティ又はそれに割り当てられる通信提供エンティティ又はエンド・ユーザ・ユニットの技術的な詳細、
−通信提供エンティティの動作状況又はモード（例えば、動作中でない時に対する動作中、ソフトウェア・アプリケーションの実行、通信アクティブ等）、及び
−通信提供エンティティの履歴（通信提供エンティティの履歴により、いつ、どのように、誰と通信提供エンティティが通信したか示すことができる）。
【００７２】
本発明によって考慮される通信提供エンティティ又はターゲット・エンティティの状況には、更に下記のような状況も含まれる：
−ターゲット・エンティティが動作中であり、ターゲット・エンティティに接続される、少なくとも一つのエンド・ユーザ装置が動作中である、
−ターゲット・エンティティに関する、所定のイベントの発生（例えば、誕生日、定期的な会議通話）、
−ターゲット・エンティティの通信履歴に、所定の略歴が含まれる（例えば、特定の関係者との通信、特定のグループ／種類の関係者との通信（例えば、あるグループに属するユーザ、特定の種類のエンド・ユーザ装置）、特定のデータの種類の通信（例えば音声及び／又は映像データ等）、所定期間の通信、所定期間の通信欠落、通信頻度等）、
−通信提供エンティティが動作中である、
−通信提供エンティティに接続される、少なくとも一つのエンド・ユーザ装置が動作中である、
−通信提供エンティティに関する、所定のイベントが発生した（例えば、通信提供エンティティが、動作中になり、通信提供エンティティが特定の期間内に通信する（しない）、通信頻度が、所定の制限値を超える等）及び
−通信提供エンティティの通信履歴には所定の略歴が含まれる。
【００７３】
好ましい実施例において、方法には、通信パラメータを実装するための、構築手段の利用が含まれる。これにより、通信パラメータのコムボットへの実装が容易になる。
【００７４】
そのような構築手段は、ソフトウェア・アプリケーションの形式で提供可能である。この実施例は、通信提供手段を示すコムボットのモデル・テンプレートが、実装した通信パラメータがない状態で使われる場合、利用可能である。
【００７５】
代わり又は追加として、構築手段を、コムボット又は関連のテンプレートが、構築手段を使って作成され得るように設計することもできる。
【００７６】
この実施例を、通信提供手段自体（例えば、実装した通信パラメータがない状態の）又は関連のテンプレートが使用できない、又は提供されない場合に利用することができる。
【００７７】
構築手段は、望ましくは通信提供エンティティに配される。これにより、通信提供エンティティによるコムボットの改善・最適化された個々及び個別の考案が可能になる。
【００７８】
更なる実施例では、制御手段が、通信提供手段を制御するために使われる。制御手段は、望ましくは通信提供エンティティに配される。制御手段は、例えばそれを通じて通信提供手段又はコムボットが制御手段又は通信提供エンティティと通信可能であるインターフェースを介して、（例えば通信提供エンティティが）通信パラメータの変更、コムボットの制御、同期化の確定をすることを可能にする。
【００７９】
構築手段及び制御手段は、統合又は独立型の手段として提供可能である。
【００８０】
統合されたバージョンは、例えば通信提供エンティティによって利用及び／又は配されることが可能である。独立バージョンは、構築手段が通信提供エンティティによって使用され、一方、制御手段が、ターゲット・エンティティへの通信提供手段を提供又は利用可能とするように通信提供エンティティに命令又は指示したエンティティによって使用され、及び／又は通信提供に応じて実行された通信にかかる費用を支払う。
【００８１】
さらなる実行可能な特徴としては、コムボットは、ターゲット・エンティティに通信提供エンティティを表示したものを提供する。
【００８２】
上記の表示には、ターゲット・エンティティ又はそのユーザに通信供給エンティティについて知らせるため、グラフィック、テキスト、アイコン、ロゴ、映像、音声、スピーチ等が含まれる。そのような情報には、通信提供エンティティとの通信に関する情報（例えば、通信提供エンティティの名前、電話番号、電子メール・アドレス、ＩＰアドレス、郵便の宛先等）、通信提供エンティティの分野に関する情報（例えば、製品、サービス等）、通信提供エンティティの企業広告等が含まれる。通信提供エンティティの表示は、コムボットが上記の待機運転状態でない期間中に使われるのが望ましい。しかしながら、コンボットは、待機運転状態においても、そのような表示を提供することができる。
【００８３】
コムボットは、追加の通信提供エンティティからターゲット・エンティティに提供された、追加のコムボットと通信することが望ましい。
【００８４】
上記の実施例では、少なくとも二つのコムボットの接続が可能である。
【００８５】
この実施例は、望ましくは、通信パラメータ、例えば通信提供エンティティは、“その”コムボットが別のコムボットと通信することを承諾しなければならないといった事実に依存する。
【００８６】
本発明の更なる好ましい実施例としては、コムボットＣＯＭとＣＯＭ’との通信が、コムボットＣＯＭとＣＯＭ’を特定のディレクトリ又はグループにグループ分け及び／又は保存する場合に可能である方法が提供される。二つ以上の通信提供手段であるＣＯＭ、ＣＯＭ’、ＣＯＭ’’・・・は、ターゲット・エンティティにより、お互いに“連絡を取る”ことが可能であることが望ましい。この場合、ターゲット・エンティティは、どのコムボットＣＯＭがお互いに通信するのか決定することができる。さらに、ターゲット・エンティティＴＥは、何のコンテクストでこの通信を行うのか決定することができる。例えば、ターゲット・エンティティＴＥに、通信提供手段又はコムボットを移すことが可能な、特別なディレクトリを提供することができる。この特別なディレクトリに入っているコムボットは、お互いに通信することができ、望ましくは、それらの各通信提供エンティティ又は人物（例えばコムボットの送信者）の趣味、個人データ、及び情報に関して通信することができる。ターゲット・エンティティは、コムボットを、これらのコムボットが仕事関連の情報についてのデータを交換することによって通信開始し、この種類の通信及び情報を、関連の通信エンティティに中継する、更なるディレクトリに移すことが可能である。それにより、ターゲット・エンティティは、どの通信提供手段又はコムボットが通信するのか、又、どこまで通信するのか決定することができる。特定のディレクトリがなくても、ターゲット・エンティティは、異なった方法で、色々なコムボットのグループ分けを選択することができる。望ましくは、個々のコムボットをグループ分け可能な、特定のアプリケーションが提供される。
【００８７】
この場合、最初のコムボットと追加のコムボットとが、コムボットが通信パラメータのうちの少なくとも一つを、追加のコムボットに提供するよう、通信するのが望ましい。
【００８８】
追加のコムボットが、通信パラメータのうちの少なくとも一つを、最初のコムボットに提供することも、又は、代替的に可能である。
【００８９】
少なくとも二つの通信提供手段間での通信により、二つの異なった通信提供エンティティ間で情報を交換することができ、それにより、異なった、及び／又は新規の通信提供エンティティと接続することが可能である。
【００９０】
好ましい実施例では、追加のコムボットによって提供された情報を、コムボットが、その送信者に提供することができる。同様に、追加のコムボットが、最初のコムボットによって利用可能な情報を、追加のコムボットが配される通信供給エンティティに提供することが望ましく、例えば、最初のコムボットの送信者が、このコムボットが追加のコムボットに対して（及びこれによりその送信者に対して）、メッセージ内で中継したデータ又は情報について通知されるのが望ましい。
【００９１】
この実施例により、これまでお互いに“知る”必要のなかった通信提供エンティティが、お互いに情報を得ることができるようになる。通信提供エンティティの情報は、他の通信供給エンティティに提供することができ、通信提供エンティティのユーザについての個人情報を含めることができる。
【００９２】
通信提供手段又はコムボットは、望ましくはコムボットのユーザの情報で、少なくとも下記のうちの一つを含んだものを提供する：
−グラフィック・ユーザ・インターフェース、
−アイコン、
−英数字テキスト、
−音声又はスピーチの再生、
−画像又は図、
−映像、
−グラフィック、
−通信提供エンティティに接続されたサーバー・システムへのデータ転送、
−等。
【００９３】
例えば、コムボットは、この情報をファイルとして、通信提供エンティティに接続されたデータベース又はサーバー・システムに提供し、このデータベースの接続マネジャーは、通信提供エンティティのユーザに対し、コムボットによって提供された更新データが表示されたウィンドウを開くことができる。そこで、通信提供エンティティのユーザは、この更新情報をデータベースに保持するのか、他のデータに置き換えるのかを決定する立場に立つ。ゆえに、通信提供エンティティのユーザは、ターゲット・エンティティ及び／又は他の通信エンティティ又はそのユーザに関して、コムボットによって提供されたデータを更新する立場に立つ。
【００９４】
本発明に従ったシステムには、望ましくは、通信提供エンティティが含まれ、それは、通信パラメータ、通信可能なターゲット・エンティティ、ターゲット・エンティティに配され、少なくとも一部がターゲット・エンティティに提供される通信提供手段（コムボット）、及び、コムボット内で通信パラメータを実装するための構築手段の定義を制御するように適合されるものであり、通信提供手段又はコムボットが、通信パラメータに従い、ターゲット・エンティティに通信提供を行うように適合される。
【００９５】
構築手段は、構築手段が、コムボットを製造又は生成し、特に、送信者が調整又は定義した接続パラメータをそれらに割り当てるためにも利用できるよう、形成されることが望ましい。
【００９６】
システムについての好ましい実施例において、構築手段は、通信提供エンティティに配される。
【００９７】
更なる好ましい実施例において、通信提供エンティティ、コムボット、及び構築手段のうちの少なくとも一つは、実装された通信パラメータを変化又は変更できるように形成される。
【００９８】
システムには、更に、通信提供手段又はコムボットを制御するための制御手段を含むことができる。ここで、制御手段が通信提供エンティティに配されるのが、特に望ましい。
【００９９】
好ましい実施例によると、システム自体は、本発明の実施例のうちの少なくとも一つに従って操作できるように形成される。
【０１００】
本発明によるシステムの更なる特徴は、上記の方法手順に相当するものである。
【発明を実施するための最良の形態】
【０１０１】
図１は、本発明の根本を成す原則を図に示している。通信提供エンティティＣＯＥは、ターゲット・エンティティＴＥにとって、ターゲット・エンティティＴＥが、通信提供エンティティＣＯＥによって定義される通信パラメータに従って通信するよう促すことを提供するものを意味する。このために、通信提供エンティティＣＯＥは、ターゲット・エンティティＴＥに通信提供手段ＣＯＭを割り当てる。この、ターゲット・エンティティＴＥへの通信提供手段ＣＯＭの割り当ては、図１の矢印１で例示される。技術的には、ターゲット・エンティティＴＥへの通信提供手段ＣＯＭの割り当ては、通信提供手段ＣＯＭの少なくとも一部をターゲット・エンティティＴＥにネットワークＮを通じて転送することにより、実行可能である。
【０１０２】
ネットワークＮは、通信提供エンティティＣＯＥとターゲット・エンティティＴＥとの通信を可能にする少なくとも一つのネットワークから構成される。ネットワークＮの例には、インターネット・コンピュータ・ネットワーク、固定及び／又は携帯の電話ネットワーク等のようなものが含まれる。
【０１０３】
通信提供手段ＣＯＭが、ターゲット・エンティティＴＥに割り当てられると、ターゲット・エンティティＴＥは、通信提供手段ＣＯＭに実装された通信パラメータに従い、通信提供を受けることが可能である。
【０１０４】
通信提供により、ターゲット・エンティティＴＥ又はターゲット・エンティティＴＥのユーザ（図示せず）は、通信パラメータに従って通信することができる；この通信については、図１の矢印３で表示する。
【０１０５】
図２に示すように、通信提供エンティティＣＯＥは、アドレス手段ＡＤＲ、構築手段ＢＭ、及び制御手段ＣＭを備えている。アドレス手段ＡＤＲには、エンティティの特定に基づく情報が含まれる。そのような情報には、名前、アドレス、電子メール・アドレス、電話番号、ファクシミリ番号、ＳＭＳユニットの数等のようなものが含まれる。アドレス手段ＡＤＲは、通信提供エンティティＣＯＥによって、様々な目的に使われることができるが、そのうちの一つを、ターゲット・エンティティＴＥのための通信提供手段ＣＯＭの定義に関連して、ここで説明する。
【０１０６】
通信提供手段ＣＯＭを定義するために、通信提供エンティティＣＯＥは、初めに、通信提供エンティティＣＯＥが、ターゲット・エンティティＴＥとして選択したエンティティの指定をする、アドレス手段ＡＤＲによって提供された情報を選択する。そのとき、通信提供エンティティＣＯＥは、通信提供手段ＣＯＭを作るため、構築手段ＢＭを使う。通信提供手段ＣＯＭの作成には、少なくとも、ターゲット・エンティティＴＥの識別情報の実装が含まれる。この結果、作成された通信提供手段ＣＯＭが、明らかにターゲット・エンティティに割り当てられる。
【０１０７】
通信提供エンティティＣＯＥが、標準化された通信提供手段を使う予定であれば、構築手段ＢＭは、以前に実装されたパラメータの形式で、標準化された通信パラメータを含む通信提供手段のモデル又はそれに準ずるものを、提供することができる。ターゲット・エンティティＴＥを特徴づける情報を実装することにより、個別の通信提供手段ＣＯＭが作成される。しかしながら、通信提供エンティティＣＯＥは、通常、与えられた通信パラメータを使う予定がないと想定される。通信提供エンティティＣＯＥが、通信提供手段ＣＯＭ内での統合を希望する通信パラメータを実装するために、構築手段ＢＭは、通信パラメータの定義及び実装のための機能性を提供する。
【０１０８】
通信提供手段ＣＯＭが作られた後、それがターゲット・エンティティＴＥに割り当てられる。通信提供手段ＣＯＭが、ターゲット・エンティティＴＥに指定された後、通信提供エンティティＣＯＥによって制御され続けられることが重視される。通信パラメータに関連して、構築手段ＢＭにより、実装された通信パラメータを修正及び変化させることができ、及び／又は、通信提供手段ＣＯＭが、既にターゲット・エンティティＴＥに割り当てられていても、実装される追加及び／又は新規の通信パラメータ、及び／又は、以前に実装された通信パラメータを削除することができる。
【０１０９】
通信提供手段ＣＯＭの制御は、制御手段ＣＭを通じて実行可能である。構築手段ＢＭに比べ、制御手段ＣＭによって、通信提供手段ＣＯＭの現在の動作状態及び／又は動きを制御することが可能である。制御手段ＣＭを通じた制御は、実装された通信パラメータに影響を及ぼすことがなく、実装された通信パラメータによって予め設定された制限により、制限を受ける。
【０１１０】
構築手段ＢＭと通信手段ＣＭとの違いについての理解を深めるため、下記の例で説明する。例えば、航空機又はモデル・カーのようなモデル（通信提供手段）を作る人物（通信提供エンティティ）が、希望のモデル（個別の通信提供手段）を作り、後ほど修正可能な作業場（構築手段）を持つ。モデルの性質を定義し、性質を変更するために、その人物は、作業場にある数々の部品から選択を行うことができる。モデルの性質（通信パラメータ）、例えば、モデル飛行機の“飛行する”性質、を決定すると、その人物は、作業場を使って、更に変更を行うことができる。動作中、ユーザは、リモート・コントロール（制御手段）を使ってモデルを制御することができる。しかしながら、リモート・コントロールによる制御は、モデル（通信提供手段）の性質（通信パラメータ）による、一定の範囲に制限される。例えば、モデル飛行機のリモート・コントロールは、モデル飛行機の性質によって制限される、数々のアクロバット的な動きを可能にする。例えば、モデル飛行機は、リモート・コントロールによるモデル船のような動作をすることができない。
【０１１１】
図２に示す通信提供エンティティＣＯＥの実施例には、実際にはアドレス手段ＡＤＲ、構築手段ＢＭ、及び制御手段ＣＭが含まれる。しかしながら、アドレス手段ＡＤＲ、構築手段ＢＭ及び制御手段ＣＭのうち少なくとも一つが、通信提供エンティティＣＯＥに割り当てられれば十分である。
【０１１２】
図３は、通信提供エンティティＣＯＥの実施例を示し、アドレス手段ＡＤＲ、構築手段ＢＭ及び制御手段ＣＭが、通信提供エンティティに割り当てられる。ここで、割り当てられるというのは、通信提供エンティティＣＯＥ又はそのユーザが、アドレス手段ＡＤＲ、構築手段ＢＭ及び制御手段ＣＭの機能を使うことができるという意味であり、それ自体が通信提供エンティティＣＯＥに含まれるという意味ではない。
【０１１３】
例えば、アドレス手段ＡＤＲは、アドレス手段ＡＤＲのユニットＡＤＲ’が通信提供エンティティＣＯＥに含まれるように設計され、アドレス手段ＡＤＲの喚起ＡＤＲ’’が、中央コンピュータ・システムＳＥＲ（例えば、ネットワークＮのネットワーク・オペレータのサーバー）に含まれる。アドレス手段ＡＤＲの機能性を通信提供エンティティＣＯＥに提供するために、アドレス手段ユニットＡＤＲ’は、少なくともアドレス手段ＡＤＲのフロント・エンドを含む。アドレス手段ＡＤＲが、例えばコンピュータ・システムと組み合わせて使われる場合、アドレス手段ユニットＡＤＲ’は、機能性についての情報、移動可能なボタンのような、アドレス手段ＡＤＲの機能を提供する、グラフィック・ユーザ・インターフェースを含むことができる。
【０１１４】
アドレス手段ユニットＡＤＲ’’には、アドレス手段ユニットＡＤＲ’と組み合わせてアドレス手段ＡＤＲを形成する、ハードウェア及び／又はソフトウェアを含むことができる。会アドレス手段ユニットＡＤＲ’’には、例えば、ハードウェアで、上記のユニットに関する情報が、アドレス手段ユニットＡＤＲ’と交換でき、及び／又は、上記のユニットについてのアドレス手段ユニットＡＤＲ’からの情報が制御できるもの（例えば、ターゲット・エンティティＴＥからのアドレス情報）、グラフィック・ユーザ・インターフェースを提供するためのハードウェア、及び／又はソフトウェア、アドレス手段ユニットＡＤＲ’の双方向性を提供するためのハードウェア及び／又はソフトウェア等を含むことができる。
【０１１５】
従って、アドレス手段ＡＤＲ及びそのユニットＡＤＲ’及びＡＤＲ’’に関する、上記の観測及び／又は操作は、構築手段ＢＭ、及び制御手段ＣＭ、及びそれらのユニットＢＭ’、及びＢＭ’’、及びＣＭ’、及びＣＭ’’に適用される。
【０１１６】
通信提供エンティティＣＯＥは、ＰＣ、固定電話、携帯電話、コンピュータ・システム等のような、単独、内蔵型、独立型の通信エンティティであり得る。しかしながら、通信提供エンティティＣＯＥは、図４に示すように、二つ以上の通信エンティティを含むことも可能である。通信提供エンティティ要素ＣＯＥ’、ＣＯＥ’’、及びＣＯＥ’’’は、通信提供エンティティＣＯＥの、表示の典型的な実施例に含まれる。例えば、通信提供エンティティ要素ＣＯＥ’は、アドレス手段ＡＤＲを備えた個別の形成体になり、それに対し通信提供エンティティＣＯＥ’’は、構築手段ＢＭを備えたＰＣ（パーソナル・コンピュータ）になり、通信提供エンティティＣＯＥ’’’は、制御手段ＣＭを備えた移動可能な通信装置（例えば、携帯コンピュータ又は電話）であり得る。通信提供エンティティＣＯＥの例示の実施例とは異なり、共にアドレス手段ＡＤＲ、構築手段ＢＭ、及び制御手段ＣＭを備えた、二つの通信提供要素を含む実施例（表示しない）が考えられ、又、アドレス手段ＡＤＲ、構築手段ＢＭ、及び制御手段ＣＭのうち、余分に少なくとも一つを含むことができる、四つ以上の通信提供エンティティ要素を含む実施例が考えられる。
【０１１７】
通信提供エンティティＣＯＥの操作は、図４に示す実施例の場合には、通信提供エンティティ要素ＣＯＥ’、ＣＯＥ’’、及びＣＯＥ’’’間での適切な情報及び／又は適切なデータの通信又は転送が実行可能である。そういった通信又は転送は、ネットワークＮを通じ、及び／又はこれらの通信提供エンティティの間での通信接続を通じ、これらの通信提供エンティティ要素の間で実行可能である。通信提供エンティティ要素ＣＯＥ’、ＣＯＥ’’、ＣＯＥ’’’の間での通信接続は、ケーブル接続、無線信号接続、赤外線通信接続、及びブルートゥース技術に基づく接続の方式で存在可能である。
【０１１８】
通信提供手段ＣＯＭのターゲット・エンティティＴＥへの割り当ては、図５に示すように、通信提供手段ＣＯＭがターゲット・エンティティＴＥに転送されるよう、実行可能である。その結果、ターゲット・エンティティＴＥは、通信提供手段ＣＯＭを含む。
【０１１９】
図６及び図７は、通信提供手段ＣＯＭが、ターゲット・エンティティＴＥに含まれない実施例を示す。これらの実施例では、ターゲット・エンティティＴＥは、通信提供エンティティＣＯＥ又は中央システムＳＥＲが有する通信提供手段の第二の部分ＣＯＭ’’と結び付いて通信提供手段ＣＯＭを形成する通信提供手段ＣＯＭの一部ＣＯＭ’を含む。
【０１２０】
従って、通信提供手段の一部ＣＯＭ’’を、例えばデータベースの一部を形成するサーバーＳＥＲ上に持つことが可能である。そのため、ＣＯＭ’とＣＯＭ’’の組み合わせ方式の通信提供手段ＣＯＭは、サーバー上でリソースを使うことができ、従って、ターゲット・エンティティＴＥ上に備えられないデータに接続することができる。
【０１２１】
図８に示すように、ターゲット・エンティティＴＥは、パーソナル・コンピュータ、携帯電話、固定電話等のような、単独、独立型の通信装置の形式を取ることができる。そこで、通信提供は、通信提供手段ＣＯＭ又は通信提供手段ＣＯＭの一部ＣＯＭ’（例えば、通信提供手段フロントエンド）によって、ターゲット・エンティティＴＥ自体又はそのユーザに提供される。通信提供手段ＣＯＭ（ＣＯＭ’）によって提供される通信提供は、ターゲット・エンティティＴＥを示すコンピュータ・システムのデスクトップ上に表示されたアイコンや、ターゲット・エンティティＴＥを示す電話のアドレスブックへのエントリーによって達成され得る。
【０１２２】
そのようなアイコンやアドレスエントリーを起動することにより、例えば、それをクリックすることにより、通信提供に対する着呼エンティティＣＥとの通信は、ネットワークＮを通して可能である。通信提供手段ＣＯＭに実装された通信パラメータによって定義された通信制限は、通信提供を、例えば、特定のエンティティ（例えば、通信提供エンティティＣＯＥ、サービス・プロバイダ等）との通信や、特定の種類の通信接続、データ種類、継続期間に特定することができる。
【０１２３】
しかしながら、ターゲット・エンティティＴＥは、図９に示すように、二つ以上のエンティティを含むこともできる。この場合、通信提供手段ＣＯＭは、ターゲット・エンティティ要素ＴＥ’に割り当てることによって、ターゲット・エンティティＴＥに割り当てられる。通信提供手段ＣＯＭの動作の結果、ターゲット・エンティティ要素ＴＥ’’の利用により、通信提供をもたらすことができる。例えば、ターゲット・エンティティ要素ＴＥ’’は、通信提供手段ＣＯＭ又は通信提供手段フロント・エンドＣＯＭ’を含むコンピュータ・システムであり得る。通信提供をもたらすために、通信提供手段ＣＯＭ（ＣＯＭ’）は、例えば、携帯電話又は携帯コンピュータ・システムのようなターゲット・エンティティ要素ＴＥ’’との通信接続を確立する。そういったターゲット・エンティティ要素ＴＥ’とＴＥ’’との間の通信接続は、これらのエンティティ（例えばケーブル又は無線での接続）の間で直接、又は、ネットワークＮを通じて間接的に確立することができる。
【０１２４】
下記では、通信提供手段ＣＯＭ（ＣＯＭ’）が、通信提供をターゲット・エンティティＴＥに、無料の通話又は無料のＳＭＳの形式で提供する。このため、通信提供手段ＣＯＭ（ＣＯＭ’）は、ターゲット・エンティティ要素ＴＥ’’に対し、ターゲット・エンティティ要素ＴＥ’’の操作によって、提供された通信を使うことができるように、適切な情報又はデータを提供することができる。例えば、通信提供手段ＣＯＭ（ＣＯＭ’’）は、ターゲット・エンティティ要素ＴＥ’’から発呼された通話を、ターゲット・エンティティＴＥがどんな着呼エンティティＣＥにも無料ですることができる電話番号を、ターゲット・エンティティ要素ＴＥ’に送信することができる。そういった電話接続を確立するため、通信提供手段ＣＯＭ（ＣＯＭ’）が、ネットワークＮを通じて、ターゲット・エンティティ要素ＴＥ’’への電話接続及び着呼エンティティＣＥへの電話接続を確立をしたり、ターゲット・エンティティＴＥ’’と着呼エンティティＣＥとの通信が可能になるように、これらの電話接続を接続することも可能である。
【０１２５】
図１０は、通信提供エンティティＣＯＥが、パーソナル・コンピュータＰＣ１、固定電話ＳＴ１、携帯電話ＭＴ１、及びＳＭＳ可能エンティティＳＭＳ１を備えた実施例を示す。通信提供エンティティＣＯＥのこれらのコンポーネントはそれぞれ、通信提供手段（表示せず）を作り、それをターゲット・エンティティＴＥに割り当てるために使うことができる。通信提供手段を作る及び／又はターゲット・エンティティＴＥに割り当てるのに、どの通信提供エンティティＣＯＥのユニットを使うのかによって、適したネットワークを使うことができる。図１０では、例として、コンピュータ・ネットワークＣＮ、固定電話ネットワークＳＴＮ、携帯電話ネットワークＭＴＮ、及びＳＭＳ可能ネットワークＳＭＳＮを示している。
【０１２６】
例えば、通信提供エンティティＣＯＥによってターゲット・エンティティＴＥに割り当てられた通信提供手段の性質及び／又は、提供される、対象の通信提供の性質に応じて、ターゲット・エンティティＴＥのパーソナル・コンピュータＰＣ２、固定電話ＳＴ２、携帯電話ＭＴ２、又はＳＭＳ可能装置ＳＭＳ２を使うことができる。
【０１２７】
図１１から図１８を参照して、通信提供エンティティＣＯＥとターゲット・エンティティＴＥの両方が、コンピュータ・システムであり、ネットワークＮが、インターネットであり、通信提供手段ＣＯＭが、電子メールを通じて、通信提供エンティティＣＯＥからターゲット・エンティティＴＥに割り当てられると仮定して、実施例の説明をする。
【０１２８】
図１１は、グラフィック・ユーザ・インターフェース又はアドレス手段ＡＤＲのフロント・エンドで、通信提供エンティティＣＯＥのディスプレイ装置に表示されるものである。例示のアドレス手段ＡＤＲのグラフィック・ユーザ・インターフェースは、通信提供エンティティＣＯＥのユーザに、複数の通信装置及び／又は個人のうちのいずれか一つをターゲット・エンティティＴＥとして選択するため、それらの名前及びアドレス情報を提示する。
【０１２９】
通信提供手段ＣＯＭを作るためには、それぞれの双方向のボット・ビルダー（ＢＢ）ボタンを、作動させる必要がある。ボタンＢＢのうちの一つを作動すると、グラフィック・ユーザ・インターフェース又は構築手段ＢＭのフロント・エンドを引き起こすが、それについては、図１２を参照して詳細に説明する。
【０１３０】
一つ以上の、表示された通信装置及び／又は個人が、既に以前、ターゲット・エンティティとして選択されており、割り当てにより、通信提供エンティティを備えているならば、そういった通信装置及び／又は個人が“オンライン”であるという情報を表示することが可能である。図１１では、そういった表示がＰＤ（プレゼンス・ディスプレイ）欄で提供されている。例えば、異なった色を使うことにより、ＰＤ欄では、通信提供手段が割り当てられたエンティティのオンライン・プレゼンス（オンライン中か否か）を表示することができる。アドレス手段ＡＤＲのグラフィック・ユーザ・インターフェースは、また、グラフィック・ユーザ・インターフェース又は制御手段（ＣＭ）のフロント・エンドを引き起こす、双方向のボット・コントローラ（ＢＣ）を提供する（図１７参照）。アドレス手段ＡＤＲのグラフィック・ユーザ・インターフェースの双方向の部分は、通信提供手段が割り当てられた、リストに挙げられたエンティティにとってのみ、操作可能である；エンティティに割り当てられた通信提供手段がなければ、制御する通信提供手段がないため、制御手段ＣＭは、通信提供手段の制御を許可しない。
【０１３１】
あるエンティティをターゲット・エンティティに選択すると、通信提供エンティティＣＯＥのディスプレイ装置は、対応する双方向ボタンＢＢの起動に応じて、グラフィック・ユーザ・インターフェース又は構築手段ＢＭのフロント・エンドを表示する。図１２は、構築手段ＢＭのグラフィック・ユーザ・インターフェースの例を示す。
【０１３２】
構築手段ＢＭのグラフィック・ユーザ・インターフェースのアドレス欄ＡＦには、ターゲット・エンティティのアドレス、名前等が表示される。オプションとして、このグラフィック・ユーザ・インターフェースには、通信提供エンティティ又はそのユーザのプロファイルが、それぞれの場合において表示される、プロファイル欄（ＰＦ）が含まれる。通信提供エンティティＣＯＥ又はそのユーザのプロファイルには、それぞれの場合において、アドレス情報、ユーザの名前、電話番号、電子メール・アドレス、個人的な情報（例えば、年齢、性別、職業）等を含むことができる。プロファイル欄（ＰＦ）は、通信提供手段ＣＯＭが通信提供エンティティＣＯＥ又はユーザのプロファイルをそれぞれの場合において含むのであれば、構築手段ＢＭのグラフィック・ユーザ・インターフェースに含まれる。通信提供手段が、そういったプロファイルを含まないのであれば、プロファイル欄ＰＦは表示されないか、もしくはそこに情報を含まずに表示される。これらのオプションのうちの一つを選択するために、通信提供手段ＣＯＭのそれぞれの通信パラメータが、実装される。
【０１３３】
通信パラメータの通信提供手段ＣＯＭへの導入は、構築手段ＢＭのグラフィック・ユーザ・インターフェースの通信パラメータ欄ＣＰを使うことによって達成される。通信
パラメータ欄ＣＰによって、通信提供手段ＣＯＭに導入可能な通信パラメータのリストが提供される。
【０１３４】
例えば、通信パラメータを通信提供手段ＣＯＭに導入して、その結果として、通信提供がターゲット・エンティティＴＥのための無料ＳＭＳメッセージを含むことができる。これは、通信パラメータ“無料ＳＭＳ”選択し、提供された無料ＳＭＳメッセージの番号をターゲット・エンティティＴＥに提供することによって達成される。
【０１３５】
通信パラメータ“誕生日通信提供”により、通信提供手段ＣＯＭを、ターゲット・エンティティＴＥが、ユーザの誕生に通信提供を受けることができるように設定することが可能になる。
【０１３６】
通信パラメータ“プレゼンス情報”により、アドレス手段ＡＤＲが、ターゲット・エンティティＴＥがオンラインであるかどうか表示できるようになる（図１参照）。
【０１３７】
通信パラメータ“送信者プロファイル”は、通信提供手段ＣＯＭが、通信提供エンティティ又は、そのユーザのそれぞれの場合のプロファイルを含むことを示す。
【０１３８】
構築手段ＢＭのグラフィック・ユーザ・インターフェースのアイコン欄ＩＦが、ターゲット・エンティティＴＥ上の通信提供手段ＣＯＭのグラフィック表示として表示される、多数の異なるアイコンを提供する。インタラクティブ・ボタン“ボイス”、“・サウンド／ミュージック”、“ビデオ”、“イメージ”は、構築手段ＢＭのグラフィック・ユーザ・インターフェースの最下部位に示される。
【０１３９】
“ボイス”ボタンにより、音声メッセージ又は音声データ（例えば、通信提供エンティティＣＯＥのユーザのもので、以前に録音／保存されたメッセージ／データ）を通信提供手段ＣＯＭに組み込むことができる。
【０１４０】
“サウンド／ミュージック”ボタンにより、音（例えば着信音）及び／又は音楽（例えば．．．の新曲）を通信提供手段ＣＯＭに組み込むことができる。組み込まれた音及び／又は音楽は、通信提供エンティティＣＯＥのユーザ（例えば、音及び／又は音楽のデータの通信提供手段ＣＯＭへの転送）及び／又は構築手段の一部（すなわち構築手段に配分され、又は構築手段に含まれるメモリに保存された）及び／又はネットワークＮ内の第三者によって提供することができる。
【０１４１】
従って、統合されるファイルのための異なったソースを使うことが可能であり、特にネットワーク内の第三者からのソースであっても可能である。そのため、広く分散したデータベースやファイル・サーバーを、統合される様々なファイルのためのソースとして使うことができる。
【０１４２】
“ビデオ”ボタンにより、映像（例えば、．．．への最近の旅行、ビデオクリップ等）を通信提供手段ＣＯＭに組み込むことができる。組み込まれる映像は、通信提供エンティティＣＯＥのユーザにより（例えば、映像ファイルの通信提供手段ＣＯＭへの転送により）、及び／又は（例えば、構築手段に配されたメモリに保存され、又は、構築手段に含まれる）構築手段の一部により、及び／又はネットワークＮ内の第三者によって提供され得る。
【０１４３】
“イメージ”ボタンにより、少なくとも一つの画像（例えば．．．での休日の写真、祖母の写真）を通信提供手段ＣＯＭに組み込むことができる。組み込まれる画像は、通信提供エンティティＣＯＥのユーザにより（例えば、画像ファイルの通信提供手段ＣＯＭへの転送により）、及び／又は（例えば、構築手段に配されたメモリに保存され、又は、構築手段に含まれる）構築手段の一部により、及び／又はネットワークＮ内の第三者によって提供され得る。
【０１４４】
組み込まれた音声、音、音楽、映像、及び画像のデータは、特に下記の場合において、それぞれの聴覚及び／又は視覚の情報を再生するのに使うことができる：
−通信提供手段ＣＯＭをターゲット・エンティティＴＥに提供する際、通信提供手段ＣＯＭが割り当てられた旨をターゲット・エンティティＴＥに知らせるため。
−通信提供手段ＣＯＭを操作する際、通信提供手段ＣＯＭが作動中又はアクセスできる状態である旨をターゲット・エンティティＴＥに知らせるため。
−通信提供をもたらす際に注意を引くため。
−通信提供手段ＣＯＭが現在制御されている旨を示すため。
−通信パラメータが変更される／変更された旨を示すため。
【０１４５】
通信提供手段ＣＯＭを作ると、通信提供エンティティＣＯＥは、少なくとも通信提供手段ＣＯＭの一部を、ネットワークＮを通じてターゲット・エンティティＴＥに送信することにより、少なくとも通信提供手段ＣＯＭの一部を提供する（図１３参照）。このために、通信提供手段を形成する、データ／情報／ソフトウェアを含んだ電子メールを使うことができる（図１４参照）。通信提供手段ＣＯＭが受信されると、通信提供手段に選択されたアイコン又は画像が、ターゲット・エンティティＴＥのディスプレイ装置に表示される（図１５Ａ／Ｂ参照）。
【０１４６】
通信提供手段ＣＯＭが、ターゲット・エンティティＴＥに提供されると、制御手段ＣＭを使って、通信提供手段ＣＯＭを制御することができる。図１１を参照すると、ターゲット・エンティティＴＥに配された双方向ボタンＢＣが、操作されている。その結果、グラフィック・ユーザ・インターフェース又は制御手段ＣＭのフロント・エンドは、通信提供エンティティＣＯＥに示される（図１６参照）。
【０１４７】
ターゲット・エンティティＴＥを識別する情報は、制御手段ＣＭのグラフィック・ユーザ・インターフェースのアドレス欄ＡＦ内に表示される。制御手段ＣＭのグラフィック・ユーザ・インターフェースの制御欄ＣＦは、通信提供手段ＣＯＭを制御するための、数々のオプションを表示する。例えば、“ウェーブ”制御オプションは、ターゲット・エンティティＴＥのディスプレイ・エンティティ上の通信提供手段ＣＯＭを表示するのに使われるアイコンを揺らしたり、当該アイコンを、同様に動かすために選択される。“音声メッセージ”制御オプションは、所定の音声メッセージ、又は、ターゲット・エンティティＴＥのユーザのために通信提供エンティティＣＯＥのユーザが入力した音声メッセージを再生するのに使用可能である。“動画”制御オプションは、通信提供エンティティのユーザによって入力された、所定の動画像列、一つの動画像列又は長編映画が、ターゲット・エンティティＴＥのユーザに提示されるようにする。
【０１４８】
制御手段ＣＭのグラフィック・ユーザ・インターフェースの動作欄（ＭＦ）には、通信提供エンティティＣＯＥのユーザが、通信提供手段ＣＯＭに使うアイコンをターゲット・エンティティＴＥのデスクトップ上を移動可能にする、双方向ボタン又はアイコンが提供される。制御手段ＣＭのグラフィック・ユーザ・インターフェースの音声欄ＴＦは、通信提供エンティティＣＯＥのユーザが、ターゲット・エンティティＴＥのユーザと直接話すことを可能にする。制御手段ＣＭのグラフィック・ユーザ・インターフェースの映像ボタンＶＦを操作することにより、リアルタイムの映像、例えば通信提供エンティティＣＯＥのユーザのビデオ・カメラで録画された映像を、ターゲット・エンティティＴＥに直接送信することができる。
【０１４９】
図１７Ａから１７Ｃは、二つ以上の通信提供手段（通信ロボット又はコムボット）が独立させられる手順を説明するため、下記に“ボタリウム”（アクアリウムという、魚を入れる容器又は水槽を意味する語句に関連する）と呼ぶ実施例を示す。
【０１５０】
ターゲット・エンティティＴＥに配された三つの通信提供手段ＣＯＭ１、ＣＯＭ２、及びＣＯＭ３があると仮定する。図１７Ａは、この通信提供手段のグラフィック表示を所有するターゲット・エンティティＴＥのディスプレイの様子を示す。図１７Ａはさらに、ＢＯＴで表されたターゲット・エンティティＴＥのセクション又はウィンドウを示す。このウィンドウＢＯＴは、ターゲット・エンティティＴＥの“ボタリウム”のグラフィック表示である。このウィンドウは、特定のディレクトリであり得る。コムボットは、このウィンドウでグループのメンバーになることができ、この“ボタリウム”の容器内のコムボットは、名前を与えられる。
【０１５１】
通信提供手段ＣＯＭ１、ＣＯＭ２、及びＣＯＭ３間での通信を行うため、図１７Ｂに示すように、これらの通信提供手段はボタリウムＢＯＴに（例えば、ドラッグ及びドロップ手順により）配置、移動、コピーされる。それらがボタリウムＢＯＴ内で独立させられると、通信提供手段はこの状況を認識し、それらにそれぞれ組み込まれた情報を交換する。特に、通信提供手段ＣＯＭ１、ＣＯＭ２、及びＣＯＭ３は、それらの発生元の通信提供エンティティのプロファイルを交換する。
【０１５２】
それらが情報を交換すると、それぞれの通信提供手段ＣＯＭ１、ＣＯＭ２、ＣＯＭ３は、新規に受信した情報を、それぞれに配された通信提供エンティティに伝える（図１７Ｃ参照）。そういった通信は、配した通信提供エンティティを適した方法で制御することにより、対応する通信提供エンティティでも実行可能である。そこで、ＣＯＥ１、…、ＣＯＥｎに関する通信提供エンティティはそれぞれ、他の通信提供エンティティの情報／プロファイルを提供される。その結果、それぞれの通信提供エンティティは、少なくとも一つの新規の通信提供エンティティを知ることになり、新規の接続及び関係の確立が可能である。通信提供手段がサーバー主体の場合（図７参照）、例えば、通信提供手段ＣＯＭ１、．．．、ＣＯＭｎ間でのプロファイル情報の交換は、それに関わるサーバー上で、（例えば、異なったメモリ領域間で）適切なデータ転送又はデータ移動等によって実行可能である。
【０１５３】
図１８は、更なる好ましい実施例を示すための表示を再生している。この場合、少なくとも通信提供手段の一部、すなわちコムボットが、ターゲット・エンティティ（ターゲット・ユーザ）に対して、イベント、特に目前のイベント、提供されるエンティティに関連したイベント、そして特に提供されたエンティティによって始動させられたイベントに関連付けて、その／それらのデスクトップに提供される。図１８から分かるように、ターゲット・ユーザのデスクトップに送信された、二つのコムボットＣＯＭ１とＣＯＭ２がある。一つめのコムボットＣＯＭ１は、寸法の変わるハートの形をしており、そのためハートが鼓動しているように見える。この“ハート”のデスクトップ要素は、例えば花屋のような提供エンティティから送信され、その顧客に、バレンタイン・デーが目前に迫っていることを喚起する。このイベントが近づくにつれ、ハートが早く鼓動する。これは、提供エンティティ又はそのシステムにより制御される。当然ながら、ターゲット・ユーザ一人だけがこのようなコムボットを受信するのではなく、図１８に示すように、提供エンティティ（花屋）の他の顧客全てが対象となる。コムボットは、提供エンティティのウェブサイトにリンクし、顧客は、コムボットＣＯＭ１をクリックするだけでそのウェブサイトにアクセスできる。顧客がそれを実行すると、提供エンティティが提供の、例えば一ユーロが最初の賞金となるくじに参加する機会を得る。さらに、ターゲット・ユーザは、いかなるドキュメントや他のファイルも、提供エンティティのウェブサイトに送信することができ、そこでドキュメントが公開される（例えば、詩、写真等）。
【０１５４】
これを実行するのに、ユーザは、対応するデスクトップ要素をコムボットＣＯＭ１にドラッグするだけでよく（矢印１８１から１８３参照）、ファイルは、直ちに提供エンティティに送信される。コムボットのパラメータは、ターゲット・ユーザが送信を希望するファイルの種類に従って、ファイルの転送を制御及び／又はフィルター処理するように定義される。全てのドキュメント又はテキスト・ファイルは、異なったフォーマット（ワード、ＰＤＦ、…）を、簡易なＴＸＴフォーマットのような標準フォーマットに変換するため、提供エンティティで、変換アプリケーションに転送される。画像ファイルは、全てフィルター処理され、標準ＪＰＥＧファイルのフォーマットの寸法に縮小される。最後に、全ての変換ファイルは、ウェブサイトに表示されるＨＴＭＬウェブページに組み込まれる。
【０１５５】
当然ながら、他のどんな筋書きも考えることができる。図１８のコムボットは、別の（個人の）エンティティによって送信されることもあり、特にターゲット・ユーザの恋人によって、目前のデート、結婚式の日又はそれと同様の日を彼に喚起するために送信されることもある。恋人と通信を行うために、ユーザは、自分のデスクトップから対応するファイルをハートの形をしたコムボットＣＯＭ１にドラッグし、そこでドロップするだけでよい。ファイル、例えばＪＰＥＧファイルのＭＰ３ｓは、直ちに恋人に送信され、彼女のデスクトップに出現する。従って、双方の寸法のコムボットが、これらの二人の間での永続的な接点接続のための、普遍的なインターフェースである。どんな形式の通信も、簡易なドラッグ及びドロップ操作によって直ちに実行可能である。例えば、電子メール又は画面外のＩＰプログラム等のような、対応するプログラムや対応するアプリケーションを手動で起動することは不要である。どんな形式の通信も自動で起動し、提供エンティティによって定義された設定及び規定に従って制御される。当然ながら、ターゲット・エンティティは、それが希望し、必要とする、更なる規定を定義することができる。
【０１５６】
図１９ａは、以前に指定した方法を実装するための基本的なネットワーク構造を示し、それはプラットホーム構造をしており、特に制御手段、及び、接続及び／又は通信の履歴を監視する手段による通信ウェブページＣＷを備える。両方のエンティティは、コムボットＣＯＭＡ又はＣＯＭＢがそれぞれの場合において、双方でデスクトップに表示されるように、このプラットホームに接続される。従って、上記のように、簡易なドラッグ及びドロップによって、通信を自発的に起動するため、永続的な接続リンク、又は永続的な接続が作り出される。図１９ａでは、一例として、ドキュメントが、ユーザＡからユーザＢへ直接転送される。当然ながら、他のいかなる種類の通信も発生及び実行可能である。図１９ｂに示すように、発明の原則は、一対一の接続に限定されるものではない。例えば、一対多数、又は、スター型のグループ形態のような、他のどんな形態も考えられる。
【０１５７】
ゆえに、コムボットを通じて人々を接続する接点接続は、完全な通信接続の一種の先駆となるものである。ユーザのデスクトップにあるように、それぞれのコムボットは、提供エンティティ／提供ユーザとの緊密な接続及び通信を促す刺激要素として現れる。コムボットは、別のユーザ又はユーザのグループへの永続的な接続リンクへの入り口、及びそこからの出口の両方と見られる。どんな誤用も防ぐため、システムの利用の更なる制限のために、図２０に示すように、構造の中に“除去ユニット”又はそれに相当する装置を備えることが望ましい。矢印２０１Ａから２０１Ｃで示すように、このことは、提供エンティティ２０１によってドキュメントがアップ・ロードされるだけではなく、これらのドキュメント又はコンピュータへのアクセス権が、提供ポイントで認められたり、拒絶されたりするということを意味する（矢印２０１Ｂ参照）。このことから、ターゲット・ユーザは、アップロードされたファイル及びシステムの機能から十分に利益を得るために必要な、全ての権利を享受しないことが分かる。
【０１５８】
しかしながら、矢印２０１Ｃで示すように、直接の転送、特にピアツーピア転送を実行することが可能である。ターゲット側では、ユーザは、簡易に着信ドキュメントについてのポップ・アップ・メッセージを受信する（矢印２０５Ａ参照）か、又は、ドキュメント／ファイルを、積極的にダウンロードすることなく、一気に受信する（矢印２０５Ｂ参照）ことができる。ドキュメントは、ユーザがオフラインにならない限り、自動的にダウンロードされる。ユーザがオフラインであれば、ドキュメントは、初めのうちはウェブサイトＣＷ上に中間的に保存される。
【０１５９】
図２１は、コムボット及び関連のファイル及び／又はアプリケーションと共に、接続を再生するための方法を示す。左側は、フランクという第一のユーザの画面を示す。フランクは、第二のユーザであるマイケルに、別のユーザのマシアスから受信したコムボットを送信することを希望している。従って、フランクは、彼の接続リストから、マシアスのデータ・セットを選択し、このコムボットの複写を始めるために、プルダウン・メニューにある“複写”オプションをクリックする。フランクは、このコムボットをマイケルに送信することを希望しているため、マイケルに電子メールを送信する目的で、接続リストや、電子メールリストからマイケルの名前を選択する。代わりに、フランクは、マイケルに、インスタント・メッセージＩＭを通じて、接続することもできる。コムボットは、電子メール又はインスタント・メッセージと共に送信される。
【０１６０】
図２１の右側に示されるように、電子メールは、マイケルによって受信され、マイケルは、フッターにコムボットが含まれた状態の、画面上の電子メールを見る。マイケルが、このコムボットを彼のデスクトップにドラッグすると、フランクが提供エンティティであることを示すため、コムボットに“フランク”の名前がつけられる。そこで、コンボットは、マイケルがフランクのウェブサイト及び、そこにある、例えばオーディオＭＰ３又はイメージ・ファイル又はそれと同様のファイルにアクセスすることができるようにする。さらに、マイケルには、フランクのためにそこにファイルを残しておくため、このウェブサイト上のメモリが提供される。マイケルが、フランクに接続するとすぐに、フランク側のコムボットに、マイケルの名前が与えられる。
【０１６１】
図２２から２４は、本発明の特別な使用を図示したものである。ここでは、どんな種類の通信（電子メール、ＳＭＳ、電話操作、インスタント・メッセージ、ファイル共有…）のための接続でも、永続的又は、少なくとも半永続的に、お互いに接続され、特別なグラフィック要素（上記で名前をつけられたコムボット）が、コンピュータ（デスクトップ）のワーク・インターフェース上の各接続先の現在の状態を表示し、これらの要素のうちのいくつかは、グループ（グループ・コムボット）にまとめられ得る。
【０１６２】
最初に、図２２ａは、第一のユーザＡと第二のユーザＢとの間で行われている接点接続についての略図を示す。
【０１６３】
そこでは、ユーザＡのデスクトップＤＴＡとユーザＢのデスクトップＤＴＢ、及び、別のユーザとの接続を示したコムボットの形式での、各グラフィック要素について示している。従って、ユーザＢのコムボットが、デスクトップＤＴＡにあり、その逆もまた同様である。両方のユーザは、詳細を記載予定のシステム（図２４参照）にログオンし、その結果、ユーザ達は常時、お互いに接続し、任意に、お互い通信することを希望する可能性のある接続先とみなすようになる。そのため、この接続は、同時に一つ以上の通信接続を任意に構成する先駆として機能する、半永続的な接点接続となる。このため、各コムボットは、グラフィック・チェンジ、動画、又はそれと同程度の手段で、接続先の現在の状態を表示する。例えば、ユーザＢがオンラインになり次第、ユーザＡのデスクトップＤＴＡ上におけるコンボットＢの色が変わる。
【０１６４】
しかしながら、コムボットは、状況を表示するだけのものではなく、接続先にどんな種類のメッセージ及び／又はファイルでも送信するために、接続先に直接アクセスするものである。従って、例えばユーザＡは、ユーザＢにドキュメント、例えば、テキスト・ファイル、イメージ・ファイル、又は、ディレクトリ全体を送信することができ、又、簡易にデスクトップでドラッグ及びドロップするだけで、少なくともこれらのファイルにアクセスする権利を与える。このために、ユーザＡは、ファイルを示すシンボルを、デスクトップＤＴＡ上にあるコムボットＢにドラッグする。ユーザ間で交換されたファイル及び／又は一緒に使われたファイル、及びディレクトリは、システムによって管理された共通のウェブサイトＴＣＷ上、望ましくはダブル・ウィンドウ内に出現する。ダブル・ウィンドウには、基本的に二つのサブ・エリアがあり、各々が、二人のユーザのうちの一人に配分される。従って、全ての関連ファイルやディレクトリが、ユーザＡのサブ・エリアに出現し、同様に、全ての関連ファイルやディレクトリが、ユーザＢのサブ・エリアに出現する。これは、図２２ａに一例として示される。さらに、多数の更なるデータ及び情報、特に接続データ（名前、アドレス、電子メール・アドレス、電話番号等）自体、及び通信データ（日付、時間、履歴、通信の種類、交換したファイルの名称等）がウェブサイトＴＣＷ上に提供され、管理される。そのため、ウェブサイトＴＣＷは、特に、管理や、接続間の通信の実行に役立つ。従って、ウェブサイトＴＣＷは、電気通信ウェブサイトとも呼ばれる。
【０１６５】
記載のコムボットの操作及び、ウェブサイトＴＣＷの使用は、各ユーザ・インターフェース、例えば、個人のデスクトップ及び／又はブラウザで表示されたダブル・ウィンドウ上で、ドラッグ及びドロップ操作することにより、特に簡単に実行される。
【０１６６】
例えば、ユーザＡが、ユーザＢにＭＰ３オーディオ・ファイルと共にディレクトリの送信を希望している場合、ユーザＡは、自分のデスクトップＤＴＡ上のディレクトリのアイコンを、他のユーザＢのコムボット上へドラッグし、それをドロップするだけでよい。そこで、システムは、ユーザＢのために、ウェブサイトＴＣＷ上にこのディレクトリを提供し、デスクトップＤＴＢ上のコムボットＡを活動させることにより、このことをユーザＢに知らせる。逆の方向では、ディレクトリ及び／又はファイルが、例えば、簡易なドラッグ及びドロップで、同じように送信される。これについては、図２２ａの矢印で示す。
【０１６７】
ウェブサイトＴＣＷ上のダブル・ウィンドウ内で、他のユーザが使用するために、どのファイル及びディレクトリが、どのユーザによって提供されるかが示される。物理的メモリ配置は、システムのサーバーの中央に配したり、又、各ユーザのコンピュータ及び端末、又は他の外部コンピュータに分散させることができる。各コムボット上でクリック又はウェブサイトＴＣＷにアクセスすることにより、特定のＵＲＬにたどり着くことができるのだが、ユーザは、現在の状態を知り、個別、又は数個のファイル及びディレクトリ全体を、希望した場所へ転送することができる。これは、例えば、ウェブサイトＴＣＷのウェブページで、ユーザＢが、ユーザＡのサブ・エリア内のファイルを、自分のサブ・エリアＢに移動するため、ドラッグ及びドロップを使用することを意味する。代わりに、又は、これに加えて、このファイル又はそのコピーは、ユーザＢのコンピュータ上のＴＣＷから自動的にダウンロードできる。より詳細な手順については、図２４を参照の上、下記に示す。
【０１６８】
図２２ａに示されるように、本発明の方法とシステムは、接続目的で設定されたウェブサイトＴＣＷを通じて、ユーザ（接続先）間での半永続的な接点接続を作り、現在の状況をコンピュータのデスクトップ上、及び／又はユーザの端末のディスプレイ上に表示し、さらにグラフィック要素、すなわち、いわゆるコムボットを使って、各接続先に直接アクセスすることができるようにするのに適している。
【０１６９】
図２２ｂに示されるように、簡易な事例には、二つの接続先間の、コムボットＣＯＭＡとＣＯＭＢを通じた、二点接続がある。しかしながら、どんな種類のマルチポイント接続も考えられ、例えば、コムボットＣＯＭＡから数個のコムボットＣＯＭＢ１、ＣＯＭＢ２…ＣＯＭｎへの、扇形の一対多数のマルチポイント接続のようなものがある。又は、多数のコムボットＣＯＭ１、ＣＯＭ２、ＣＯＭ３…ＣＯＭｎ間の、星形のマルチポイント接続が作られる。マルチポイント接続の場合、それぞれのコムボット（例えば、ＣＯＭＡ又はＣＯＭ１−ＣＯＭｎ）は、例えば接続のグループといった、多数の接続を示すことができる。
【０１７０】
送信者によって、簡易にコムボットをドラッグ及びドロップするだけで、どのようにグループ形成を行うことができるのか、図２３を参照し、より詳細に説明する：個々の接続のための、二つ以上のコムボット（ここでは、制御手段ＣＭの代理としてのコムボット）、例えばＢ及びＣが、既にユーザのデスクトップＤＴＡ上にある場合には、ユーザ又は送信者は、コムボット（例えばコムボットＢ）を他のコムボット（例えばコムボットＣ）にドラッグ及びドロップすることにより、いわゆるグループ・コムボットＧＲＰを形成することができる。そこで、このグループ・コムボットＧＲＰは、例えば、接続グループに関連する接続（ここではＢ及びＣ）を示す。さらにドラッグ及びドロップすることにより、グループ・コムボットＧＲＰをいつでも拡張することが可能で、例えば、さらなる接続Ｄを含むことができる。それにより、多数の個々のコムボットの代わりに、グループ・コムボットＧＲＰという名前の、たった一つのシンボルがユーザのデスクトップに現れるだけである。これは、送信者にとって、自分が他の人物に送信したコムボットを示し、自分のデスクトップにあるグラフィック（コムボット）を通じて、これらを取り扱い、又は制御できる。簡易にダブル・クリックするか、又は同様の方法により、グループ・コムボットＧＲＰは、再び個々のコムボットに分解される（ここではＢ、Ｃ及びＤに分解）。
【０１７１】
数個の接続の組み合わせを、グループ・コムボットの形式でグループにすることにより、デスクトップ上の外観が非常に改善され、ユーザの操作利便性が高まる。さらに、グループ形成は、非常に自由自在で、その結果、ユーザは、グループ・コムボットを、希望するどんな方法でも形成できる。ユーザにより、個別のコムボットで、例えば、職場の同僚や友人に配されたものを、例えば、一つは“職場の同僚”で、一つは“友人”というように、数個のグループ・コムボットに統合することも可能である。ユーザは、数個のグループ・コムボットを統合して、グループ・コムボットにすることも可能である。例えば、“職場の同僚”及び“友人”の二つのグループ・コムボットを統合し、次の自分の誕生日に、職場の同僚及び友人の全てを招待しようとするために、“誕生日メンバー”のグループ・コムボットにすることができる。どんな基準による、どんな種類のグループ形成も考えられ、それは例えば、人物（接続）、時間、イベント、及び／又は企画によって形成されたグループ・コムボットといったものである。本発明による方法により、グループ分けが自動的に行われ、システムが、自動的に仮想のグループ・コムボットを作り、それらがユーザに提案される。
【０１７２】
図２４を参照し、方法とシステムをより詳細に説明する。システムＬＣは、インターネットでサポートされる方法で構成され、基本的に、ペイロード・データの提供に加えて、通信の可能性を持つ多数のユーザからの接続データの管理を行う、一つ以上のサーバーを含む。システムＬＣは、図２４に象徴的に示される。さらに、二人のユーザＡ及びＢは、システムによってユーザに提供されたウェブサイトＴＣＷと同様に、例を使って示される。システムＬＣは、各ユーザに、メモリ領域を提供する（例えば、ユーザＡにＭＥＭ−Ａを提供）。このメモリ領域は、例えば、ＬＣサーバーのドライブ、又はそれにリンクしたデータ・メモリ媒体に位置する。ユーザは、他のユーザ（接続）に利用可能な、何らかの要求されたファイル及び／又はディレクトリを作成するために、システムに内在するメモリ領域ＭＥＭ−Ａ及びＭＥＭ−Ｂに加え、システム外のメモリ、特に自分のコンピュータＰＣ又は端末ＰＤＡのドライブＨＤ−Ａ又はＨＤ−Ｂを使うこともできる。
【０１７３】
二人のユーザＡ及びＢが、システムＬＣを通じて相互接続する場合、それぞれの接続先への直接のアクセスが可能な、いわゆるコムボットの形式のグラフィック要素を、それぞれのコンピュータＰＣ及び／又は端末ＰＤＡのデスクトップ上に見つけることができる。そのため、それは、それぞれの相手先に提供された通信提供手段と、相手先に提供されたコムボットを制御するための自身の制御手段との結び付きを意味する。従って、ユーザＡのデスクトップＤＴＡ上にコムボットＢがある。ユーザＢは、その正反対である。ユーザＡとＢの両方にとって、システムＬＣは、ダブル・ウィンドウと共にウェブサイトＴＣＷを提供し、そこには、システムＬＣによって記録されたデータの全て、特に、二人のユーザＡ及びＢの接続データ、及び、ユーザＡ及びＢによって提供されたペイロード・データを表示することができる。このウェブサイトＴＣＷを通じ、簡易な操作、特にドラッグ及びドロップを行うことにより、ユーザは、自分自身のデータ、及びインターネット・アクセス・ポイントから接続先によってもたらされたデータにアクセスすることができる。ユーザが、その接続データ（例えば、郵便の宛先、電話番号、又は電子メールアドレスといったもの）を変更すると、直ちにシステムＬＣに記録され、接続先との自動同期化が実行される。それは、全ての接続先が、いつも最新の現在の接続データを所有することを意味する。変更及び更新は、コムボットを通じて、直ちに表示される。
【０１７４】
しかしながら、コムボットは、直接接続をするのにも役立ち、ユーザ（ここではＡ）が、希望する接続（ここではＢ）のコムボットをクリックして、そのときに表示される通信メニューの中から、例えば、電子メール、電話機（ＰＳＴＮ及び／又はＶｏＩＰ）、又はＳＭＳといったアプリケーションを始動させると、接続先との通信が、直ちに確立される。システムＬＣは、例えば、電子メール又はＳＭＳといった、可能性のある、又はさらに望ましい通信方法を提案することにより、ユーザをサポートする。システムが管理するユーザ・プロフィール及びユーザのデフォルトが考慮される。
【０１７５】
任意の通信が、同様に、簡易なドラッグ及びドロップによって成立する。ユーザＡが、例えばＷｏｒｄのファイルを、接続先Ｂのコムボットにドラッグすると、システムＬＣは、このファイルをＰＤＦフォーマットに変換し、ユーザＢに、通知の電子メールに添付してＰＤＦファイルを転送する。
【０１７６】
図２４に示した別の例では、ユーザＡが、ＭＰ３ファイル（星の形をした）を、現在ユーザＡのコンピュータＰＣのハード・ドライブＨＤ−ＡにあるコムボットＢにドラッグする。システムＬＣは、直ちにアップロードを開始し、このＭＰ３ファイルをユーザＡのシステム内在のメモリ領域ＭＥＭ−Ａに転送し、ウェブサイトＴＣＷ上にそれを表示する。ユーザＢは、Ａが、Ｂが使用可能なファイルを作成している旨の通知を受ける。このために、システムＬＣは、ユーザＢのデスクトップＤＴＢ上のコムボットＡを活動させ、コムボットＢが、例えば“ＡからあなたへのＭＰ３です”のメッセージが入った吹き出しを受信する。
【０１７７】
そこでユーザＢは、直ちにウェブサイトＴＣＷを検索し、そこにある自分のメモリ領域（ダブル・ウィンドウの右側）及びＡによって出されたメモリ領域（左側）にアクセスする。ユーザＢは、ＭＰ３ファイル（星を参照）をＡのメモリ領域内に残したままにするか、もしくは、自分のメモリ領域へのファイルの転送を行う。これは、ファイルのシンボルをドラッグ及びドロップすることにより可能であり、例えば、ここでは、星を左から右へとドラッグすることにより可能である（矢印を参照）。システムＬＣは、直ちにハード・ドライブＨＤ−ＡからユーザＢによって指示されたメモリ領域（ここでは、ユーザＢの端末（ＰＤＡ（ｍｏｂｉｌｅ  Ｐｅｒｓｏｎａｌ  Ｄｉｇｉｔａｌ  Ａｓｓｉｓｔａｎｔ））にあるハード・ドライブＨＤ−Ｂ）への該当ファイルの転送を制御する。ファイル転送は、ピアツーピア転送Ｐ２Ｐの形式の、二点接続を通じて行われる。他の多くの応用が考えられる。システムＬＣは、特に、接続のための、可能性のある全ての通信技術を、任意のものにし、デスクトップ向けに最適化された簡易な操作性を通じ、上記通信技術を使い易いものにし、接続データが自動的に更新されるようにすることを特徴とする。
【０１７８】
二つの単一の接続先とそれらのコムボットを参照して説明した機能は、グループ・コムボットの形式の接続グループにも適用可能である。図２３に既に示したように、これらのグループ・コムボットは、個々のコムボット及び／又はより小さなグループ・コムボットのどんな組み合わせにも対応している。
【図面の簡単な説明】
【０１７９】
【図１】本発明の原則を示した図。
【図２】本発明による通信提供エンティティの実施例を示した図。
【図３】本発明による通信提供エンティティの実施例を示した図。
【図４】本発明による通信提供エンティティの実施例を示した図。
【図５】本発明による通信提供手段の実施例を示した図。
【図６】本発明による通信提供手段の実施例を示した図。
【図７】本発明による通信提供手段の実施例を示した図。
【図８】本発明によるターゲット・エンティティの実施例を示した図。
【図９】本発明によるターゲット・エンティティの実施例を示した図。
【図１０】本発明による環境の実施例を示した図。
【図１１】本発明によるアドレス手段の実施例を示した図。
【図１２】本発明による構築手段の実施例を示した図。
【図１３】本発明による方法の、割り当てるステップの実施例を示した図。
【図１４】本発明による通信提供手段の実施例を示した図。
【図１５Ａ】本発明による通信提供手段の実施例を含む、本発明によるグラフィック・ユーザ・インターフェースの実施例を示した図。
【図１５Ｂ】本発明による通信提供手段の実施例を含む、本発明によるグラフィック・ユーザ・インターフェースの実施例を示した図。
【図１６】本発明による制御手段の実施例を示した図。
【図１７Ａ】本発明による通信提供手段間で通信するための、本発明による方法の手順の実施例を示した図。
【図１７Ｂ】本発明による通信提供手段間で通信するための、本発明による方法の手順の実施例を示した図。
【図１７Ｃ】本発明による通信提供手段間で通信するための、本発明による方法の手順の実施例を示した図。
【図１８】ドラッグ及びドロップ手順による通信開始のための、デスクトップ上の通信提供手段からの提供の実施例を示した図。
【図１９ａ】本発明を実行するためのネットワーク構造を一般的に示した図。
【図１９ｂ】本発明を実行するためのネットワーク構造を一般的に示した図。
【図２０】本発明の方法の好ましい実施例を実行するための、ネットワーク構造内での方法手順を示した図。
【図２１】本発明による再生過程を実行するためのデスクトップ図及び方法手順を示した図。
【図２２ａ】発明による方法が適合され、いわゆるコムボットによって接続がデスクトップに表示される、二地点の接点接続の形式での接点接続の再生を表示した図。
【図２２ｂ】更なる接点接続、特に、本発明による方法が適合され、いわゆるコムボットによって接続がデスクトップに表示される、マルチ地点の接点接続を表示した図。
【図２３】いわゆるグループ・コムボットとしての、コムボットのグループ形成を表示した図。
【図２４】コムボット及び／又はグループ・コムボットを統合する本発明による方法の手段による、接続を管理するためのシステム構成を表示する図。
【符号の説明】
【０１８０】
１，３  矢印
ＣＯＭ，ＣＯＭ１，ＣＯＭ２，ＣＯＭ３，ＣＯＭｎ  通信提供手段
ＣＯＥ，ＣＯＥ１，ＣＯＥｎ  通信提供エンティティ
Ｎ  ネットワーク
ＴＥ  ターゲット・エンティティ
ＡＤＲ  アドレス手段
ＢＭ  構築手段
ＣＭ  制御手段
ＳＥＲ  中央コンピュータ・システム
ＡＤＲ’，ＡＤＲ’’  アドレス手段ユニット
ＢＭ’，ＢＭ’’  構築手段ユニット
ＣＭ’，ＣＭ’’  制御手段ユニット
ＣＯＥ’，ＣＯＥ’’，ＣＯＥ’’’  通信提供エンティティ要素
ＣＥ  着呼エンティティ
ＰＣ１，ＰＣ２  パーソナル・コンピュータ
ＳＴ１，ＳＴ２  固定電話
ＭＴ１，ＭＴ２  携帯電話
ＳＭＳ１，ＳＭＳ２  ＳＭＳ可能装置
ＣＮ  コンピュータ・ネットワーク
ＳＴＮ  固定電話ネットワーク
ＭＴＮ  携帯電話ネットワーク
ＳＭＳＮ  ＳＭＳ可能ネットワーク
ＡＦ  アドレス欄
ＣＰ  通信パラメータ欄
ＰＦ  プロファイル欄
ＩＦ  アイコン欄
ＭＦ  動作欄
ＴＦ  音声欄
ＶＦ  映像欄
ＢＯＴ  ボタリウム
ＣＷ  通信ウェブページ
ＣＯＭＡ，ＣＯＭＢ，ＣＯＭＢ１，ＣＯＭＢ２，ＣＯＭＢｎ  コムボット
ＬＣ  システム
２０１Ａ，２０１Ｂ，２０１Ｃ，２０５Ａ，２０５Ｂ，２０５Ｃ  矢印
ＤＴＡ，ＤＴＢ  デスクトップ
ＴＣＷ  ウェブサイト
ＧＲＰ  グループ・コムボット
ＭＥＭ−Ａ  メモリ領域
ＨＤ−Ａ，ＨＤ−Ｂ  ハード・ドライブ
【図２】
2007527662.tif 000003
【図３】
2007527662.tif 000004
【図４】
2007527662.tif 000005
【図５】
2007527662.tif 000006
【図６】
2007527662.tif 000007
【図７】
2007527662.tif 000008
【図８】
2007527662.tif 000009
【図９】
2007527662.tif 000010
【図１０】
2007527662.tif 000011
【図１２】
2007527662.tif 000012
【図１３】
2007527662.tif 000013
【図１６】
2007527662.tif 000014
【図１７Ａ】
2007527662.tif 000015
【図１７Ｂ】
2007527662.tif 000016
【図１７Ｃ】
2007527662.tif 000017
【図１８】
2007527662.tif 000018
【図１９ａ】
2007527662.tif 000019
【図１９ｂ】
2007527662.tif 000020
【図２０】
2007527662.tif 000021
【図２１】
2007527662.tif 000022
【図１】
2007527662.tif 000023
【図１１】
2007527662.tif 000024
【図１４】
2007527662.tif 000025
【図１５Ａ】
2007527662.tif 000026
【図１５Ｂ】
2007527662.tif 000027
【図２２ａ】
2007527662.tif 000028
【図２２ｂ】
2007527662.tif 000029
【図２３】
2007527662.tif 000030
【図２４】
2007527662.tif 000031
【国際調査報告】
2007527662.tif 000032
2007527662.tif 000033
2007527662.tif 000034
2007527662.tif 000035
2007527662.tif 000036
2007527662.tif 000037